(57)【要約】  施工管理システムは、施工現場の現況地形を示す現況地形データを取得する現況地形データ取得部と、施工現場の設計地形を示す設計地形データを取得する設計地形データ取得部と、現況地形データと設計地形データとを照合して、土砂の切土計画データ、及び土砂の盛土計画データを含む施工計画データを算出する施工計画データ算出部と、施工計画データを出力装置に出力する施工計画データ出力部と、を備える。施工計画データ出力部は、出力装置に、設計地形データ、切土計画データ、及び盛土計画データの少なくとも二つを並べて出力させる。
2016208276.tif 000002
【特許請求の範囲】
【請求項１】
施工現場の現況地形を示す現況地形データを取得する現況地形データ取得部と、
前記施工現場の設計地形を示す設計地形データを取得する設計地形データ取得部と、
前記現況地形データと前記設計地形データとを照合して、土砂の切土計画データ、及び土砂の盛土計画データを含む施工計画データを算出する施工計画データ算出部と、
前記施工計画データを出力装置に出力する施工計画データ出力部と、
を備え、
前記施工計画データ出力部は、前記出力装置に、前記現況地形データ、前記設計地形データ、前記切土計画データ、及び前記盛土計画データの少なくとも二つを並べて出力させる、
施工管理システム。
【請求項２】
前記施工計画データ出力部は、前記出力装置に、前記現況地形データ、前記設計地形データ、施工範囲データ、前記切土計画データ、及び前記盛土計画データの少なくとも二つを重ねて出力させる、
請求項１に記載の施工管理システム。
【請求項３】
前記切土計画データは、土砂の切土を必要とする部位を示す切土部位データを含み、
前記盛土計画データは、土砂の盛土を必要とする部位を示す盛土部位データを含み、
前記施工計画データ出力部は、前記出力装置に、前記切土部位データ及び前記盛土部位データの一方又は両方を出力させる、
請求項１又は請求項２に記載の施工管理システム。
【請求項４】
前記施工計画データ算出部は、土砂の切土量を示す切土数値データ及び土砂の盛土量を示す盛土数値データを算出し、
前記施工計画データ出力部は、前記出力装置に、前記切土数値データ及び前記盛土数値データの一方又は両方を出力させる、
請求項１から請求項３のいずれか一項に記載の施工管理システム。
【請求項５】
前記施工現場の施工実績を示す施工実績データを取得する施工実績データ取得部を備え、
前記施工計画データ出力部は、前記出力装置に、前記施工の工程毎及び施工日毎に、前記施工実績データを出力させる、
請求項１から請求項４のいずれか一項に記載の施工管理システム。
【請求項６】
施工現場の現況地形を示す現況地形データを取得する現況地形データ取得部と、
前記施工現場の設計地形を示す設計地形データを取得する設計地形データ取得部と、
前記現況地形データと前記設計地形データとを照合して、前記施工現場の施工計画を示す施工計画データを算出する施工計画データ算出部と、
前記施工現場の施工実績を示す施工実績データを取得する施工実績データ取得部と、
前記施工計画データ及び前記施工実績データを出力装置に出力する施工計画データ出力部と、
を備え、
前記施工計画データ出力部は、前記出力装置に、前記施工の工程に対する前記施工計画データ及び前記施工実績データの一方又は両方を、所定の施工日について出力させる又は施工日毎に出力させる、
施工管理システム。
【請求項７】
前記施工実績データは、前記施工計画データに対する施工の進捗率を示す進捗率データを含む、
請求項５又は請求項６に記載の施工管理システム。
【請求項８】
前記施工実績データは、前記工程毎及び前記施工日毎の施工量を示す施工量実績データを含む、
請求項５から請求項７のいずれか一項に記載の施工管理システム。
【請求項９】
前記施工実績データは、累積の施工量実績データを含む、
請求項５から請求項８のいずれか一項に記載の施工管理システム。
【請求項１０】
前記施工実績データは、前記土砂の切土が完了した部位を示す切土完了データ及び土砂の盛土が完了した部位を示す盛土完了データを含み、
前記施工計画データ出力部は、前記出力装置に、前記切土完了データ及び前記盛土完了データの一方又は両方を出力させる、
請求項５から請求項９のいずれか一項に記載の施工管理システム。
【請求項１１】
前記施工計画データ出力部は、前記出力装置に、前記切土計画データと前記切土完了データとを異なるデザインで同時に出力示させ、前記盛土計画データと前記盛土完了データとを異なるデザインで同時に出力させる、
請求項１０に記載の施工管理システム。
【請求項１２】
前記施工現場を施工する作業機械の条件を示す原単位データを取得する原単位データ取得部を備え、
前記施工計画データ算出部は、前記現況地形データと前記設計地形データと前記原単位データとに基づいて、前記施工の工程毎に、前記施工計画データを算出し、
前記施工計画データは、前記工程に必要な施工量を示す施工量データ、前記工程に必要な前記作業機械の種類及び台数を示す作業機械データ、単位時間当たりに実施可能な前記作業機械の作業量を示す作業原単位データ、及び前記工程が完了するまでの時間を示す必要時間データを含み、
前記施工計画データ出力部は、前記出力装置に、前記施工量データ、前記作業機械データ、前記作業原単位データ、及び前記必要時間データを出力させる、
請求項１から請求項１１のいずれか一項に記載の施工管理システム。
【請求項１３】
施工現場の現況地形を示す現況地形データを取得する現況地形データ取得部と、
前記施工現場の設計地形を示す設計地形データを取得する設計地形データ取得部と、
前記施工現場を施工する作業機械の条件を示す原単位データを取得する原単位データ取得部と、
前記現況地形データと前記設計地形データと前記原単位データとに基づいて、前記施工の工程毎に、前記施工現場の施工計画を示す施工計画データを算出する施工計画データ算出部と、
前記施工計画データを出力装置に出力する施工計画データ出力部と、
を備え、
前記施工計画データは、前記工程に必要な施工量を示す施工量データ、前記工程に必要な前記作業機械の種類及び台数を示す作業機械データ、単位時間当たりに実施可能な前記作業機械の作業量を示す作業原単位データ、及び前記工程が完了するまでの時間を示す必要時間データの少なくとも一つを含み、
前記施工計画データ出力部は、前記出力装置に、前記施工の工程に対して、前記施工量データ、前記作業機械データ、前記作業原単位データ、及び前記必要時間データの少なくとも一つを出力させる、
施工管理システム。
【請求項１４】
前記施工計画データ出力部は、前記出力装置に、前記工程毎の工程表を示す工程表データを出力させる、
請求項１２又は請求項１３に記載の施工管理システム。
【請求項１５】
施工現場の現況地形を示す現況地形データを取得する現況地形データ取得部と、
前記施工現場の設計地形を示す設計地形データと前記現況地形データとを照合して、前記施工現場の施工計画を示す施工計画データを算出する施工計画データ算出部と、
前記施工現場の施工実績を示す施工実績データを取得する施工実績データ取得部と、
前記施工計画データ及び前記施工実績データを出力装置に出力する施工計画データ出力部と、
を備え、
前記施工計画データ出力部は、前記出力装置に、前記現況地形データ、前記施工計画データ、及び前記施工実績データの少なくとも二つを重ねて出力させる、
施工管理システム。
【請求項１６】
前記現況地形データは、前記現況地形の撮影画像を含み、
前記施工計画データは、施工範囲を示す施工範囲画像を含み、
前記施工実績データは、区画された前記施工範囲の複数の区画領域毎に進捗率に応じた異なるデザインで出力される進捗率画像を含む、
請求項１５に記載の施工管理システム。
【請求項１７】
前記出力装置は表示装置を含み、
前記施工計画データ出力部は、前記現況地形データ、前記施工計画データ、及び前記施工実績データのうち前記表示装置に表示させるデータを選択させる選択部を前記表示装置に表示させる、
請求項１５又は請求項１６に記載の施工管理システム。
【請求項１８】
前記施工計画データは、土砂の切土計画データ及び盛土計画データの一方又は両方を含み、
前記施工実績データは、土砂の切土実績データ及び盛土実績データの一方又は両方を含み、
前記施工計画データ出力部は、前記出力装置に、前記施工計画データ及び前記施工実績データの少なくとも一方を施工日毎に出力させる、
請求項１５又は請求項１６に記載の施工管理システム。
【請求項１９】
前記出力装置は表示装置を含み、
前記施工計画データ出力部は、第１軸が前記施工日を示し第２軸が前記施工計画データ及び前記施工実績データの少なくとも一方を示すグラフを前記表示装置に表示させるとともに、前記第１軸が示す期間を変更させるスライド部を前記表示装置に表示させる、
請求項１８に記載の施工管理システム。
【請求項２０】
前記施工計画データ出力部は、前記出力装置に、気象データを出力させる、
請求項１から請求項１９のいずれか一項に記載の施工管理システム。
【請求項２１】
前記施工計画データ出力部は、前記施工現場を施工する作業機械に前記設計地形データを送信可能であり、前記作業機械に対する前記設計地形データの送信の承認を要求する承認要求データを前記出力装置に出力し、前記設計地形データの送信を認可する認可データを取得した後、前記作業機械に前記設計地形データを送信する、
請求項１から請求項２０のいずれか一項に記載の施工管理システム。
【請求項２２】
施工現場を施工する作業機械に対する前記施工現場の設計地形を示す設計地形データの送信の承認を要求する承認要求データを生成する承認要求データ生成部と、
前記作業機械に前記設計地形データを送信可能なデータ出力部と、
を備え、
前記データ出力部は、前記承認要求データを出力装置に出力し、前記設計地形データの送信を認可する認可データを取得した後、前記作業機械に前記設計地形データを送信する、
施工管理システム。
【請求項２３】
前記承認要求データは、前記設計地形データの送信を要求したタイミングを示す時刻データを含む、
請求項２１又は２２に記載の施工管理システム。
【請求項２４】
前記承認要求データは、前記承認を要求するメッセージを含み、前記出力装置に前記メッセージを出力させる、
請求項２１から請求項２３のいずれか一項に記載の施工管理システム。
【請求項２５】
施工現場の設計地形を示す設計地形データを取得する設計地形データ取得部と、
前記設計地形データを出力装置に出力する施工計画データ出力部と、
を備え、
前記設計地形データは、施工完了時点における設計地形を示す最終設計地形データ、及び施工途中時点における設計地形を示す中間設計地形データを含み、
前記施工計画データ出力部は、前記出力装置に、前記中間設計地形データを出力させる、
施工管理システム。
【請求項２６】
前記設計地形データ取得部は、複数の施工途中時点それぞれの前記中間設計地形データを取得し、
前記施工計画データ出力部は、前記出力装置に、複数の前記中間設計地形データを同時に出力させる、
請求項２５に記載の施工管理システム。
【請求項２７】
前記施工現場の現況地形を示す現況地形データを取得する現況地形データ取得部を備え、
前記施工計画データ出力部は、前記出力装置に、前記中間設計地形データ及び施工途中時点の現況地形を示す中間現況地形データを同時に出力させる、
請求項２５又は請求項２６に記載の施工管理システム。
【請求項２８】
前記施工計画データ出力部は、前記出力装置に、前記中間設計地形データ、前記中間現況地形データ、及び前記最終設計地形データを同時に出力させる、
請求項２７に記載の施工管理システム。
【請求項２９】
前記施工計画データ出力部は、前記出力装置に、前記中間設計地形データ及び前記中間現況地形データの３次元表示データと、前記中間設計地形データ及び前記中間現況地形データの断面表示データとを同時に出力させる、
請求項２７又は請求項２８に記載の施工管理システム。
【請求項３０】
前記施工現場の施工実績を示す施工実績データを取得する施工実績データ取得部を備え、
前記施工計画データ出力部は、前記出力装置に、前記中間設計地形データに対する前記施工実績データを出力させる、
請求項２５から請求項２９のいずれか一項に記載の施工管理システム。
【請求項３１】
施工現場を施工する作業機械に対する前記施工現場の設計地形を示す設計地形データの送信の承認を要求する承認要求データを送信することと、
前記承認要求データの送信に基づいて生成された前記設計地形データの送信を認可する認可データを取得することと、
前記認可データを取得した後、前記作業機械に前記設計地形データを送信することと、
を含む施工管理方法。
【発明の詳細な説明】
【技術分野】
【０００１】
本発明は、施工管理システム及び施工管理方法
に関する。
【背景技術】
【０００２】
施工現場の施工計画がコンピュータシステムで行われる場合がある（特許文献１参照）。また、近年、施工現場において情報化施工の導入が進められている。情報化施工とは、調査、設計、施工、監督、検査、及び維持管理を含む建設工程のうち、施工に注目して、各工程から得られる電子情報を活用して、ＩＣＴ（Information  and  Communication  Technology）により高効率及び高精度な施工を実現するシステムである。また、施工で得られる電子情報が他の工程に活用されることにより、建設工程全体の生産性向上及び品質確保が図られる。情報化施工を実施可能な作業機械によれば、作業機の動きを自動的に制御して、現況地形を目標地形に施工することができる。
【先行技術文献】
【特許文献】
【０００３】
【特許文献１】特開平０９−１７７３２１号公報
【発明の概要】
【発明が解決しようとする課題】
【０００４】
施工現場の作業者の高齢化及び建設業界に対する若年層の就労敬遠などにより、建設業界における労働力不足が予想されている。最適な施工ソリューションサービスを提供することができれば、施工現場の生産性を向上させることができ、建設業界が抱える労働力不足の問題を解決することができる。【０００５】
本発明の態様は、施工現場の生産性の向上を図ることができる施工管理システム及び施工管理方法を提供することを目的とする。
【課題を解決するための手段】
【０００６】
本発明の第１の態様に従えば、施工現場の現況地形を示す現況地形データを取得する現況地形データ取得部と、前記施工現場の設計地形を示す設計地形データを取得する設計地形データ取得部と、前記現況地形データと前記設計地形データとを照合して、土砂の切土計画データ、及び土砂の盛土計画データを含む施工計画データを算出する施工計画データ算出部と、前記施工計画データを出力装置に出力する施工計画データ出力部と、を備え、前記施工計画データ出力部は、前記出力装置に、前記現況地形データ、前記設計地形データ、前記切土計画データ、及び前記盛土計画データの少なくとも二つを並べて出力させる、施工管理システムが提供される。【０００７】
本発明の第２の態様に従えば、施工現場の現況地形を示す現況地形データを取得する現況地形データ取得部と、前記施工現場の設計地形を示す設計地形データを取得する設計地形データ取得部と、前記現況地形データと前記設計地形データとを照合して、前記施工現場の施工計画を示す施工計画データを算出する施工計画データ算出部と、前記施工現場の施工実績を示す施工実績データを取得する施工実績データ取得部と、前記施工計画データ及び前記施工実績データを出力装置に出力する施工計画データ出力部と、を備え、前記施工計画データ出力部は、前記出力装置に、前記施工の工程毎及び施工日毎に、前記施工計画データ及び前記施工実績データを出力させる、施工管理システムが提供される。【０００８】
本発明の第３の態様に従えば、施工現場の現況地形を示す現況地形データを取得する現況地形データ取得部と、前記施工現場の設計地形を示す設計地形データを取得する設計地形データ取得部と、前記施工現場を施工する作業機械の条件を示す原単位データを取得する原単位データ取得部と、前記現況地形データと前記設計地形データと前記原単位データとに基づいて、前記施工の工程毎に、前記施工現場の施工計画を示す施工計画データを算出する施工計画データ算出部と、前記施工計画データを出力装置に出力する施工計画データ出力部と、を備え、前記施工計画データは、前記工程に必要な施工量を示す施工量データ、前記工程に必要な前記作業機械の種類及び台数を示す作業機械データ、単位時間当たりに実施可能な前記作業機械の作業量を示す作業原単位データ、及び前記工程が完了するまでの時間を示す必要時間データの少なくとも一つを含み、前記施工計画データ出力部は、前記出力装置に、前記施工の工程に対して、前記施工量データ、前記作業機械データ、前記作業原単位データ、及び前記必要時間データの少なくとも一つを出力させる、施工管理システムが提供される。【０００９】
本発明の第４の態様に従えば、施工現場の現況地形を示す現況地形データを取得する現況地形データ取得部と、前記施工現場の設計地形を示す設計地形データと前記現況地形データとを照合して、前記施工現場の施工計画を示す施工計画データを算出する施工計画データ算出部と、前記施工現場の施工実績を示す施工実績データを取得する施工実績データ取得部と、前記施工計画データ及び前記施工実績データを出力装置に出力する施工計画データ出力部と、を備え、前記施工計画データ出力部は、前記出力装置に、前記現況地形データ、前記施工計画データ、及び前記施工実績データの少なくとも二つを重ねて出力させる、施工管理システムが提供される。【００１０】
本発明の第５の態様に従えば、施工現場を施工する作業機械に対する前記施工現場の設計地形を示す設計地形データの送信の承認を要求する承認要求データを生成する承認要求データ生成部と、前記作業機械に前記設計地形データを送信可能なデータ出力部と、を備え、前記データ出力部は、前記承認要求データを出力装置に出力し、前記設計地形データの送信を認可する認可データを取得した後、前記作業機械に前記設計地形データを送信する、施工管理システムが提供される。【００１１】
本発明の第６の態様に従えば、施工現場の設計地形を示す設計地形データを取得する設計地形データ取得部と、前記設計地形データを出力装置に出力する施工計画データ出力部と、を備え、前記施工計画データ出力部は、前記出力装置に、複数の設計地形データを同時に出力させる、施工管理システムが提供される。【００１２】
本発明の第７の態様に従えば、施工現場を施工する作業機械に対する前記施工現場の設計地形を示す設計地形データの送信の承認を要求する承認要求データを送信することと、前記承認要求データの送信に基づいて生成された前記設計地形データの送信を認可する認可データを取得することと、前記認可データを取得した後、前記作業機械に前記設計地形データを送信することと、を含む施工管理方法が提供される。
【発明の効果】
【００１３】
本発明の態様によれば、施工現場の生産性の向上を図ることができる施工管理システム及び施工管理方法が提供される。
【図面の簡単な説明】
【００１４】
【図１】図１は、本実施形態に係る施工管理システムを模式的に示す図である。
【図２】図２は、本実施形態に係るブルドーザを模式的に示す図である。
【図３】図３は、本実施形態に係る油圧ショベルを模式的に示す図である。
【図４】図４は、本実施形態に係る油圧ショベルを模式的に示す図である。
【図５】図５は、本実施形態に係る情報化施工を模式的に示す図である。
【図６】図６は、本実施形態に係る情報化施工を模式的に示す図である。
【図７】図７は、本実施形態に係るブルドーザに設けられた出力装置を模式的に示す図である。
【図８】図８は、本実施形態に係る油圧ショベルに設けられた出力装置を模式的に示す図である。
【図９】図９は、本実施形態に係る現況地形データの取得方法を示す図である。
【図１０】図１０は、本実施形態に係る施工管理システムのハードウエア構成を示す図である。
【図１１】図１１は、本実施形態に係る施工管理システムを示す機能ブロック図である。
【図１２】図１２は、本実施形態に係る施工計画方法を示すフローチャートである。
【図１３】図１３は、本実施形態に係る出力装置の出力例を示す図である。
【図１４】図１４は、本実施形態に係る出力装置の出力例を示す図である。
【図１５】図１５は、本実施形態に係る出力装置の出力例を示す図である。
【図１６】図１６は、本実施形態に係る出力装置の出力例を示す図である。
【図１７】図１７は、本実施形態に係る出力装置の出力例を示す図である。
【図１８】図１８は、本実施形態に係る出力装置の出力例を示す図である。
【図１９】図１９は、本実施形態に係る出力装置の出力例を示す図である。
【図２０】図２０は、本実施形態に係る出力装置の出力例を示す図である。
【図２１】図２１は、本実施形態に係る出力装置の出力例を示す図である。
【図２２】図２２は、本実施形態に係る出力装置の出力例を示す図である。
【図２３】図２３は、本実施形態に係る出力装置の出力例を示す図である。
【図２４】図２４は、本実施形態に係る出力装置の出力例を示す図である。
【図２５】図２５は、本実施形態に係る出力装置の出力例を示す図である。
【図２６】図２６は、本実施形態に係る出力装置の出力例を示す図である。
【図２７】図２７は、本実施形態に係る出力装置の出力例を示す図である。
【図２８】図２８は、本実施形態に係る出力装置の出力例を示す図である。
【図２９】図２９は、本実施形態に係る出力装置の出力例を示す図である。
【図３０】図３０は、本実施形態に係る出力装置の出力例を示す図である。
【図３１】図３１は、本実施形態に係る出力装置の出力例を示す図である。
【図３２】図３２は、本実施形態に係る出力装置の出力例を示す図である。
【図３３】図３３は、本実施形態に係る出力装置の出力例を示す図である。
【図３４】図３４は、本実施形態に係る出力装置の出力例を示す図である。
【図３５】図３５は、本実施形態に係る出力装置の出力例を示す図である。
【図３６】図３６は、本実施形態に係る施工管理システムを模式的に示す図である。
【図３７】図３７は、本実施形態に係る施工計画方法を示すフローチャートである。
【図３８】図３８は、本実施形態に係る出力装置の出力例を示す図である。
【図３９】図３９は、本実施形態に係る施工管理システムの一例を示す模式図である。
【図４０】図４０は、本実施形態に係る中間設計地形データ及び最終設計地形データを説明するための模式図である。
【図４１】図４１は、本実施形態に係る中間設計地形データ及び最終設計地形データを説明するための模式図である。
【図４２】図４２は、本実施形態に係る出力装置の出力例を示す図である。
【図４３】図４３は、本実施形態に係る出力装置の出力例を示す図である。
【図４４】図４４は、本実施形態に係る出力装置の出力例を示す図である。
【発明を実施するための形態】
【００１５】
以下、本発明に係る実施形態について図面を参照しながら説明するが、本発明はこれに限定されない。以下で説明する各実施形態の構成要素は適宜組み合わせることができる。また、一部の構成要素を用いない場合もある。
【００１６】
［施工管理システムの概要］
図１は、本実施形態に係る施工管理システム１を模式的に示す図である。施工管理システム１は、施工計画の導出及び施工の進捗状況の可視化の一方又は両方を実施する。施工管理システム１は、コンピュータシステム２を含み、土木の施工現場３の施工計画及び施工管理を実施する。施工現場３において、作業機械が稼働する。作業機械は、例えば、施工現場３の切土、盛土、又は整地が可能な建設機械４と、土砂を運搬可能な運搬車両５とを含む。
【００１７】
建設機械４は、情報化施工を実施可能なＩＣＴ（Information  and  Communication  Technology）建設機械である。建設機械４は、作業部材を有するブルドーザ４Ａと油圧ショベル４Ｂとを含む。作業部材とは、刃先を有し、施工現場３の現況地形の切土、盛土、又は整地が可能な部材をいう。作業部材は、ブルドーザ４Ａに設けられたブレード及び油圧ショベル４Ｂに設けられたバケットである。施工現場３において、ブルドーザ４Ａは、土砂の掘削、切土、押土、盛土、及び整地を行う。油圧ショベル４Ｂは、土砂の掘削、切土、盛土、及び整地を行う。
【００１８】
運搬車両５は、ベッセルを有するダンプトラックを含む。油圧ショベル４Ｂによって、運搬車両５に土砂が積込まれる。運搬車両５は、例えば、施工現場３から施工現場３の外に土砂を運搬し、施工現場３の外から施工現場３に土砂を運搬する。
【００１９】
また、施工現場３において、作業者Ｍａが作業を行う。作業者Ｍａは、建設機械４のオペレータ及び施工現場３で補助作業等を行う作業員を含む。作業者Ｍａは、携帯端末７を所持する。携帯端末７は、スマートフォン又はタブレット型パーソナルコンピュータのような携帯型コンピュータを含む。また、施工現場３には、現場事務所９が設けられる。パーソナルコンピュータのような情報端末８が現場事務所９に設置される。作業者Ｍａは、携帯端末７又は情報端末８を使って作業を行う。
【００２０】
また、施工現場３において、施工現場３の現況地形を検出するためのドローン１０が稼働する。ドローン１０は、無人で飛行する飛行体である。ドローン１０は、無線により遠隔操作される飛行体、及び自動的に浮上して予め設定された飛行ルートに従って飛行して所定の位置に降下する飛行体を含む。ドローン１０は、カメラ１１を有する。ドローン１０は、カメラ１１を搭載した状態で、施工現場３の上空を飛行する。カメラ１１は、施工現場３の現況地形を非接触で検出可能な第１検出装置である。ドローン１０に設けられたカメラ１１は、施工現場３を空撮して、現況地形を非接触で検出する。
【００２１】
コンピュータシステム２は、施工会社１２とデータ通信可能である。施工会社１２において、施工現場３の設計地形が作成される。設計地形は、施工現場３における地面の目標形状である。パーソナルコンピュータのような情報端末１３が施工会社１２に設置される。施工会社１２の作業者Ｍｂは、情報端末１３を使って、２次元又は３次元の設計地形データを作成する。
【００２２】
また、コンピュータシステム２は、施工現場３をサポートするサポートセンター１４とデータ通信可能である。サポートセンター１４において、施工現場３から要求された設計地形の変更又は３次元画像データの生成が行われる。パーソナルコンピュータのような情報端末１５がサポートセンター１４に設置される。サポートセンター１４の作業者Ｍｃは、情報端末１５を使って作業を行う。なお、コンピュータシステム２がサポートセンター１４に配置され、コンピュータシステム２の処理がサポートセンター１４で実行されてもよい。
【００２３】
［建設機械］
次に、建設機械４について説明する。ＧＰＳ衛星６を含むＧＰＳ（Global  Positioning  System：全地球測位システム）により、グローバル座標系（ＸｇＹｇＺｇ座標系）における建設機械４の車両本体の位置を示す絶対位置が検出される。建設機械４に設けられた検出装置により、ローカル座標系（ＸＹＺ座標系）における建設機械４の車両本体に対する作業部材の刃先の位置を示す相対位置が検出される。車両本体の絶対位置と、車両本体と作業部材の刃先との相対位置とに基づいて、作業部材の刃先の絶対位置が算出される。
【００２４】
図２は、ブルドーザ４Ａを模式的に示す図である。ブルドーザ４Ａは、車両車体４００Ａと、車両本体４００Ａの絶対位置を検出するＧＰＳ受信器４０６Ａと、車両本体４００Ａに対するブレード４４０Ａの刃先４４０Ａｐの相対位置を検出する検出装置４２０Ａと、ブレード４４０Ａの刃先４４０Ａｐの位置を制御するブレード制御装置４０１Ａとを有する。
【００２５】
また、ブルドーザ４Ａは、油圧シリンダであるリフトシリンダ４１１Ａと、リフトシリンダ４１１Ａの作動量を検出するリフトシリンダセンサ４２１Ａと、ブレード４４０Ａを支持するリフトフレーム４３０Ａと、車両本体４００Ａを支持する走行装置４５０Ａとを有する。
【００２６】
車両本体４００Ａは、運転者が着座する運転席が設けられた運転室を有する。運転室には、各種の操作装置及び画像データを表示する出力装置４０４Ａが配置される。
【００２７】
走行装置４５０Ａは、クローラを有する。リフトフレーム４３０Ａは、車幅方向に平行な軸線Ｙａを中心に上下方向に動作可能に車両本体４００Ａに支持される。ブレード４４０Ａは、リフトフレーム４３０Ａを介して車両本体４００Ａに支持される。リフトシリンダ４１１Ａは、車両本体４００Ａとリフトフレーム４３０Ａとを連結するように設けられる。リフトシリンダ４１１Ａは、リフトフレーム４３０Ａを移動して、ブレード４４０Ａを上下方向に移動する。刃先４４０Ａｐは、ブレード４４０Ａの下端部に配置される。整地作業及び切土作業（掘削作業）において、刃先４４０Ａｐが施工現場３の地面に接触する。
【００２８】
ＧＰＳ受信器４０６Ａは、車両本体４００Ａに設けられる。車両本体４００ＡにＧＰＳ用アンテナが設けられる。ＧＰＳ用アンテナは、ＧＰＳ衛星６から受信した電波に対応する信号をＧＰＳ受信器４０６Ａに出力する。ＧＰＳ受信器４０６Ａは、自車の絶対位置を示す絶対位置データを取得する。ＧＰＳ受信器４０６Ａが自車の絶対位置を取得することによって、車両本体４００Ａの絶対位置を示す絶対位置データが取得される。
【００２９】
検出装置４２０Ａは、リフトシリンダセンサ４２１Ａを含む。リフトシリンダセンサ４２１Ａは、リフトシリンダ４１１Ａのストローク長さを示すリフトシリンダ長データＬａを検出する。ブレード制御装置４０１Ａは、リフトシリンダ長データＬａに基づいて、ブレード４０４Ａのリフト角θａを算出する。リフト角θａは、ブレード４４０Ａの原点位置からの下降角度、すなわち、刃先４４０Ａｐの地中への貫入深さ又は地上からの高さに対応する。図２において、リフトフレーム４３０Ａ及びブレード４４０Ａの原点位置が二点鎖線で示されている。リフトフレーム４３０Ａ及びブレード４４０Ａが原点位置に位置する場合、ブレード４４０Ａの刃先４４０Ａｐは地面に接触する。ブレード４４０Ａを原点位置から下降させた状態でブルドーザ４Ａが前進することによって、ブルドーザ４Ａによる整地作業及び切土作業（掘削作業）が行われる。
【００３０】
また、図示しないが、ブルドーザ４Ａは、ブレード４４０Ａを回転方向（アングル方向）に移動可能なアングルシリンダと、ブレード４４０Ａを回転方向（チルト方向）に移動可能なチルトシリンダと、アングルシリンダのストローク長さを示すアングルシリンダ長データを検出するアングルシリンダセンサと、チルトシリンダのストローク長さを示すチルトシリンダ長データを検出するチルトシリンダセンサとを有してもよい。
【００３１】
検出装置４２０Ａは、リフトシリンダセンサ４２１Ａに加えて、アングルシリンダセンサ及びチルトシリンダセンサも含む。リフトシリンダセンサ４２１Ａによって検出されたリフトシリンダ長データ、アングルシリンダセンサによって検出されたアングルシリンダ長データ、及びチルトシリンダセンサによって検出されたチルトシリンダ長データは、ブレード制御装置４０１Ａに出力される。ブレード制御装置４０１Ａは、リフトシリンダ長データ、アングルシリンダ長データ、及びチルトシリンダ長データに基づいて、車両本体４００Ａに対するブレード４４０Ａの刃先４４０Ａｐの相対位置を算出する。ブレード制御装置４０１Ａは、算出した車両本体４００Ａに対するブレード４４０Ａの刃先４４０Ａｐの相対位置と、ＧＰＳ受信器４０６Ａで取得された車両本体４００Ａの絶対位置とに基づいて、ブレード４４０Ａの刃先４４０Ａｐの絶対位置を算出する。
【００３２】
図３及び図４は、油圧ショベル４Ｂを模式的に示す図である。油圧ショベル４Ｂは、車両車体４００Ｂと、車両本体４００Ｂの絶対位置を検出するＧＰＳ受信器４０６Ｂと、車両本体４００Ｂに対するバケット４４０Ｂの刃先４４０Ｂｐの相対位置を検出する検出装置４２０Ｂと、バケット４４０Ｂの刃先４４０Ｂｐの位置を制御するバケット制御装置４０１Ｂとを有する。
【００３３】
また、油圧ショベル４Ｂは、ブームピン４３３Ｂを介して車両本体４００Ｂに接続されるブーム４３１Ｂと、アームピン４３４Ｂを介してブーム４３１Ｂに接続されるアーム４３２Ｂとを有する。バケット４４０Ｂは、バケットピン４３５Ｂを介してアーム４３２Ｂに接続される。
【００３４】
また、油圧ショベル４Ｂは、ブーム４３１Ｂを駆動するブームシリンダ４１１Ｂと、アーム４３２Ｂを駆動するアームシリンダ４１２Ｂと、バケット４４０Ｂを駆動するバケットシリンダ４１３Ｂと、ブームシリンダ４１１Ｂの作動量を検出するブームシリンダストロークセンサ４２１Ｂと、アームシリンダ４１２Ｂの作動量を検出するアームシリンダストロークセンサ４２２Ｂと、バケットシリンダ４１３Ｂの作動量を検出するバケットシリンダストロークセンサ４２３Ｂとを有する。ブームシリンダ４１１Ｂ、アームシリンダ４１２Ｂ、及びバケットシリンダ４１３Ｂは、油圧シリンダである。
【００３５】
また、油圧ショベル４Ｂは、車両本体４００Ｂを支持する走行装置４５０Ｂと、ＩＭＵ（Inertial  Measurement  Unit）４６０Ｂとを有する。車両本体４００Ｂは、走行装置４５０Ｂに支持される。車両本体４００Ｂは、旋回軸ＡＸを中心に旋回可能な上部旋回体である。なお、図３及び図４に示す点Ｐ２は、旋回軸ＡＸ上の点であって、ローカル座標系（ＸＹＺ座標系）の原点を示す。
【００３６】
車両本体４００Ｂは、運転者が着座する運転席が設けられた運転室を有する。運転室には、各種の操作装置及び画像データを表示する出力装置４０４Ｂが配置される。
【００３７】
走行装置４５０Ｂは、クローラを有する。刃先４４０Ｂｐは、バケット４４０Ｂの先端部に配置される。整地作業及び切土作業（掘削作業）において、刃先４４０Ｂｐが施工現場３の地面に接触する。
【００３８】
ＧＰＳ受信器４０６Ｂは、車両本体４００Ｂに設けられる。車両本体４００ＢにＧＰＳ用アンテナが設けられる。ＧＰＳ用アンテナは、ＧＰＳ衛星６から受信した電波に対応する信号をＧＰＳ受信器４０６Ｂに出力する。ＧＰＳ受信器４０６Ｂは、自車の絶対位置を示す絶対位置データを取得する。ＧＰＳ受信器４０６Ｂが自車の絶対位置を取得することによって、車両本体４００Ｂの絶対位置を示す絶対位置データが取得される。
【００３９】
検出装置４２０Ｂは、ブームシリンダストロークセンサ４２１Ｂ、アームシリンダストロークセンサ４２２Ｂ、及びバケットシリンダストロークセンサ４２３Ｂを含む。ブームシリンダストロークセンサ４２１Ｂは、ブームシリンダ４１１Ｂのストローク長さを示すブームシリンダ長データを検出する。アームシリンダストロークセンサ４２２Ｂは、アームシリンダ４１２Ｂのストローク長さを示すアームシリンダ長データを検出する。バケットシリンダストロークセンサ４２３Ｂは、バケットシリンダ４１３Ｂのストローク長さを示すバケットシリンダ長データを検出する。
【００４０】
バケット制御装置４０１Ｂは、ブームシリンダ長データに基づいて、車両本体４００Ｂの垂直方向に対するブーム４３１Ｂの傾斜角θ１を算出する。バケット制御装置４０１Ｂは、アームシリンダ長データに基づいて、ブーム４３１Ｂに対するアーム４３２Ｂの傾斜角θ２を算出する。バケット制御装置４０１Ｂは、バケットシリンダ長データに基づいて、アーム４３２Ｂに対するバケット４４０Ｂの刃先４４０Ｂｐの傾斜角θ３を算出する。バケット制御装置４０１Ｂは、傾斜角θ１、傾斜角θ２、傾斜角θ３、ブーム４３１Ｂの長さＬ１、アーム４３２Ｂの長さＬ２、及びバケット４４０Ｂの長さＬ３に基づいて、車両本体４００Ｂに対するバケット４４０Ｂの刃先４４０Ｂｐの相対位置を算出する。なお、ブーム４３１Ｂの長さＬ１は、ブームピン４３３Ｂとアームピン４３４Ｂとの距離である。アーム４３２Ｂの長さＬ２は、アームピン４３４Ｂとバケットピン４３５Ｂとの距離である。バケット４４０の長さＬ３は、バケットピン４３５Ｂとバケット４４０Ｂの刃先４４０Ｂｐとの距離である。
【００４１】
ＩＭＵ４６０Ｂは、車両本体４００Ｂに設けられる。ＩＭＵ４６０Ｂは、車両本体４００Ｂの左右方向に対する傾斜角θ４と、車両本体４００Ｂの前後方向に対する傾斜角θ５とを検出する。
【００４２】
バケット制御装置４０１Ｂは、算出した車両本体４００Ｂに対するバケット４４０Ｂの刃先４４０Ｂｐの相対位置と、ＧＰＳ受信器４０６Ｂ及びＩＭＵ４６０Ｂで取得された車両本体４００Ｂの絶対位置とに基づいて、バケット４４０Ｂの刃先４４０Ｂｐの絶対位置を算出する。
【００４３】
建設機械４は、施工現場３の地面の現在の地形を示す現況地形データを取得することができる。図５は、ブルドーザ４Ａが現況地形データを取得している状態を示す模式図であり、図６は、油圧ショベル４Ｂが現況地形データを取得している状態を示す模式図である。図５に示すように、施工現場３の地面の現在の地形にメッシュが設定される。ブルドーザ４Ａは、刃先４４０Ａｐの絶対位置（Ｘｇ軸方向の位置、Ｙｇ軸方向の位置、及びＺｇ軸方向の位置）を検出可能である。ブルドーザ４Ａは、メッシュの交点を示すメッシュ点に刃先４４０Ａｐを接触させることにより、複数のメッシュ点それぞれの位置データを取得することができる。同様に、図６に示すように、油圧ショベル４Ｂは、メッシュの交点を示すメッシュ点に刃先４４０Ｂｐを接触させることにより、複数のメッシュ点それぞれの位置データを取得することができる。複数のメッシュ点の位置データ、すなわち刃先４４０ｐ（刃先４４０Ａｐ、刃先４４０Ｂｐ）の軌跡が取得されることにより、施工現場３の現況地形データが取得される。なお、ブルドーザ４Ａ又は油圧ショベル４Ｂが、走行装置４５０（４５０Ａ、４５０Ｂ）に含まれる履帯を駆動させて走行した場合、車体の寸法情報とＧＰＳ受信器４０６（４０６Ａ、４０６Ｂ）による自車の絶対位置を示す絶対位置データとに基づいて、走行中に履帯が地面と接触した位置の軌跡（履帯の走行軌跡）を求め、履帯の走行軌跡を施工現場３の現況地形データとして取得してもよい。
【００４４】
なお、現況地形データは、建設機械４又は建設機械４とは別の車両に搭載されたステレオカメラによって取得されてもよい。ステレオカメラは、施工現場３の地面の画像データを取得して、その画像データから現況地形を検出することができる。なお、現況地形データは、建設機械４又は建設機械４とは別の車両に搭載された３次元レーザスキャナ装置によって取得されてもよい。レーザスキャナ装置は、施工現場３の地面に検出光であるレーザ光を照射して、現況地形を光学的に検出することができる。
【００４５】
図７は、ブルドーザ４Ａの運転室に設けられている出力装置４０４Ａの一例を示す図であり、図８は、油圧ショベル４Ｂの運転室に設けられている出力装置４０４Ｂの一例を示す図である。図７及び図８に示すように、建設機械４（ブルドーザ４Ａ、油圧ショベル４Ｂ）の出力装置４０４（出力装置４０４Ａ、出力装置４０４Ｂ）は、画像データを表示可能な表示装置を含む。設計地形データ及び建設機械４が出力装置４０４に表示される。建設機械４の運転者は、出力装置４０４に表示される画像データを見ながら、整地作業又は切土作業（掘削作業）を行うことができる。
【００４６】
このように、建設機械４（ブルドーザ４Ａ、油圧ショベル４Ｂ）の車両本体４００（車両本体４００Ａ、車両本体４００Ｂ）の絶対位置が、車両本体４００に搭載されたＧＰＳ受信器４０６（４０６Ａ、４０６Ｂ）及びＧＰＳ衛星６を含むＧＰＳによって検出される。また、建設機械４は、車両本体４００に対する作業部材４４０（ブレード４４０Ａ、バケット４４０Ｂ）の刃先４４０ｐ（刃先４４０Ａｐ、刃先４４０Ｂｐ）の相対位置を検出可能な検出装置４２０（検出装置４２０Ａ、検出装置４２０Ｂ）を有する。建設機械４は、車両本体４００の絶対位置と、車両本体４００に対する作業部材４４０の相対位置とに基づいて、作業部材４４０の絶対位置を求めることができる。建設機械４は、コンピュータシステム２とデータ通信可能である。設計地形データは、コンピュータシステム２から建設機械４に送信される。建設機械４は、掘削対象の目標形状である設計地形データに基づいて、作業部材４４０の刃先４４０ｐが設計地形に沿って移動するように、作業部材４４０を制御する。
【００４７】
また、建設機械４は、刃先４４０ｐを使って、施工現場３の現況地形データを取得することができる。また、建設機械４は、作業中の作業部材４４０の刃先４４０ｐの絶対位置に基づいて、施工実績データを取得することができる。建設機械４によって取得された現況地形データ又は施工実績データは、コンピュータシステム２に送信される。
【００４８】
［ドローン］
図９は、ドローン１０を模式的に示す図である。ドローン１０は、施工現場３の上空を飛行可能な無人航空機である。ドローン１０により、施工現場３の測量が行われる。ドローン１０は、プロペラ１０Ｐを有する無人ヘリコプターである。ドローン１０は、フレーム部材１０Ｆと、フレーム部材１０Ｆに支持されたカメラ１１と、フレーム部材１０Ｆに設けられたプロペラ１０Ｐとを有する。プロペラ１０Ｐが回転することにより、ドローン１０は飛行する。ドローン１０は、予め決められた飛行ルートと自身の現在位置とを対比しながら、飛行ルートに沿って自動飛行するものでもよいし、地上の操作者が保持した無線操縦機からの無線信号により遠隔操作され、操作者の意図する飛行ルートを飛行するようなものでもよい。ドローン１０のカメラ１１により、施工現場３の現況地形が空撮される。カメラ１１で取得された現況地形の画像データは、後述する記憶装置１０２に記憶される。記憶装置１０２に記憶された画像データは、無線又は有線によって、記憶装置１０２から、地上のコンピュータにダウンロードされる。コンピュータにダウンロードされた画像データは、コンピュータに組み込まれた変換ソフトウェアによって施工現場３の現況地形を示す３次元現況地形データに変換される。これにより、３次元現況地形データが取得される。なお、ドローン１０の記憶装置１０２に変換ソフトウェアを記憶させ、ドローン１０が有するプロセッサ１０１によって３次元現況地形データが生成されてもよい。
【００４９】
［ハードウエア構成］
図１０は、施工管理システム１のハードウエア構成を示す図である。コンピュータシステム２は、ＣＰＵ（Central  Processing  Unit）のようなプロセッサ２０１と、ＲＯＭ（Read  Only  Memory）又はＲＡＭ（Random  Access  Memory）のような内部メモリ及びハードディスク装置のような外部メモリを含む記憶装置２０２と、キーボード、マウス、及びタッチパネルのような入力デバイスを含む入力装置２０３と、フラットパネルディスプレイ装置のような表示装置及びインクジェットプリンタのような印刷装置を含む出力装置２０４と、有線通信機器又は無線通信機器を含む入出力インターフェース回路２０５と、を有する。
【００５０】
施工会社１２に設置される情報端末１３は、プロセッサ１３１と、記憶装置１３２と、入力装置１３３と、出力装置１３４と、有線通信機器又は無線通信機器を含む入出力インターフェース回路１３５と、を有する。
【００５１】
施工現場３で稼働する建設機械４は、プロセッサ４０１と、記憶装置４０２と、入力装置４０３と、出力装置４０４と、ＧＰＳ受信器４０６と、検出装置４２０と、有線通信機器又は無線通信機器を含む入出力インターフェース回路４０５と、を有する。
【００５２】
施工現場３で稼働するドローン１０は、プロセッサ１０１と、記憶装置１０２と、カメラ１１の撮像素子１０６と、有線通信機器又は無線通信機器を含む入出力インターフェース回路１０５と、を有する。
【００５３】
施工現場３で使用される携帯端末７は、プロセッサ７０１と、記憶装置７０２と、入力装置７０３と、出力装置７０４と、有線通信機器又は無線通信機器を含む入出力インターフェース回路７０５と、を有する。
【００５４】
施工現場３に設置される情報端末８は、プロセッサ８０１と、記憶装置８０２と、入力装置８０３と、出力装置８０４と、有線通信機器又は無線通信機器を含む入出力インターフェース回路８０５と、を有する。
【００５５】
サービスセンター１４に設置される情報端末１５は、プロセッサ１５１と、記憶装置１５２と、入力装置１５３と、出力装置１５４と、有線通信機器又は無線通信機器を含む入出力インターフェース回路１５５と、を有する。
【００５６】
コンピュータシステム２は、施工現場３の建設機械４、運搬車両５、携帯端末７、情報端末８、及びドローン１０とデータ通信可能である。携帯端末７及び情報端末８は、インターネットを介して、コンピュータシステム２とデータ通信する。建設機械４、運搬車両５、及びドローン１０は、通信衛星回線又は携帯電話回線を介して、コンピュータシステム２と無線でデータ通信する。なお、建設機械４、運搬車両５、及びドローン１０は、Ｗｉ−Ｆｉのような無線ＬＡＮ等、他の通信形態を用いてコンピュータシステム２と無線でデータ通信してもよい。
【００５７】
また、コンピュータシステム２は、施工会社１２の情報端末１３とインターネットを介してデータ通信する。コンピュータシステム２は、サポートセンター１４の情報端末１５とインターネットを介してデータ通信する。
【００５８】
［コンピュータシステム］
図１１は、施工管理システム１を示す機能ブロック図である。コンピュータシステム２は、施工計画データ算出部２０と、施工実績データ取得部２１と、現況地形データ取得部２２と、モードデータ取得部２３と、設計地形データ取得部２４と、原単位データ取得部２５と、施工条件データ取得部２６と、変動要因データ取得部２７と、施工計画データ出力部２８と、遠隔制御部２９とを有する。
【００５９】
また、コンピュータシステム２は、原単位データベース３１と、施工条件データベース３２と、変動要因データベース３３と、結果データベース３４とを有する。
【００６０】
プロセッサ２０１は、施工計画データ算出部２０、施工実績データ取得部２１、現況地形データ取得部２２、モードデータ取得部２３、設計地形データ取得部２４、原単位データ取得部２５、施工条件データ取得部２６、変動要因データ取得部２７、施工計画データ出力部２８、及び遠隔制御部２９を含む。記憶装置２０２は、原単位データベース３１、施工条件データベース３２、変動要因データベース３３、及び結果データベース３４を含む。
【００６１】
＜現況地形データ取得部＞
現況地形データ取得部２２は、施工現場３の現況地形を示す現況地形データを取得する。現況地形データは、ドローン１０に設けられたカメラ１１で検出される。現況地形データ取得部２２は、現況地形データをドローン１０のカメラ１１から、例えば無線で取得する。なお、現況地形データ取得部２２は、建設機械４又は建設機械４とは別の車両に搭載されているステレオカメラから現況地形データを取得してもよいし、３次元レーザスキャナ装置から現況地形データを取得してもよい。
【００６２】
＜設計地形データ取得部＞
設計地形データ取得部２４は、施工現場３の設計地形を示す設計地形データを取得する。設計地形は、施工会社１２において作成される。設計地形データ取得部２４は、設計地形データを施工会社１２の情報端末１３からインターネットを介して取得する。
【００６３】
＜原単位データ取得部＞
原単位データ取得部２５は、施工現場３を施工する作業機械の条件を示す原単位データを取得する。原単位データは、原単位データベース３１に記憶されている。原単位データ取得部２５は、原単位データを原単位データベース３１から取得する。
【００６４】
原単位データの作業機械の条件は、施工現場３に対して調達可能な作業機械の種類、車格、及び作業機械の台数の少なくとも一つを含む。また、作業機械の条件は、調達可能な作業機械の管理状態を含む。
【００６５】
また、原単位データの作業機械の条件は、単位時間当たりに実施可能な作業機械の作業量を含む。単位時間当たりに実施可能な作業機械の作業量とは、作業機械の作業能力を示す指標であり、単位時間当たりに作業機械が動かすことができる土砂の量をいう。単位時間当たりに実施可能な作業機械の作業量は、建機作業原単位とも呼ばれる。作業機械がブルドーザ４Ａである場合、ブルドーザ４Ａの作業量は、単位時間当たりにブルドーザ４Ａが実施可能な押土量（押せる土砂の量）、及び盛土量（盛れる土砂の量）をいう。作業機械が油圧ショベル４Ｂである場合、油圧ショベル４Ｂの作業量は、単位時間当たりに油圧ショベル４Ｂが実施可能な積込量（運搬車両５に積込める量）、切土量（掘削可能な量）、及び盛土量（盛れる土砂の量）をいう。作業機械が運搬車両５である場合、運搬車両５の作業量は、単位時間当たりに運搬車両５が運搬可能な土砂の量をいう。
【００６６】
単位時間当たりに実施可能な建設機械４の作業量は、作業部材４４０のサイズに依存する。作業部材４４０のサイズが大きければ、作業量は多くなり、作業部材４４０のサイズが小さければ、作業量は少なくなる。したがって、作業機械４の作業量は、作業部材４４０のサイズを含む。ブルドーザ４Ａの作業量は、ブレード４４０Ａのサイズを含み、油圧ショベル４Ｂの作業量は、バケット４４０Ｂのサイズ（バケット容量）を含む。
【００６７】
また、原単位データは、施工現場３の作業者Ｍａの条件を更に含む。作業者Ｍａの条件は、施工現場３に対して調達可能な作業者Ｍａの人数を含む。また、作業者の条件は、調達可能な作業者Ｍａの技量を含む。
【００６８】
すなわち、原単位データは、作業機械の条件及び作業者の条件のような、施工に必要なリソースを示すデータである。原単位データは、施工前に取得可能な既知データであり、原単位データベース３１に保持される。
【００６９】
＜施工条件データ取得部＞
施工条件データ取得部２６は、施工現場３の施工条件を示す施工条件データを取得する。施工条件は、施工会社１２において設定された事項を含む。施工条件データは、施工条件データベース３２に記憶されている。施工条件データ取得部２６は、施工条件データを施工条件データベース３２から取得する。
【００７０】
施工条件データは、施工に係る予算、工期、作業内容、作業手順、作業時間、及び現場環境の少なくとも一つを含む。現場環境は、施工現場３の地形、及び施工現場３の大きさの少なくとも一つを含む。施工条件データは、施工前に設定される既知データであり、施工条件データベース３２に保持される。
【００７１】
＜変動要因データ取得部＞
変動要因データ取得部２７は、施工現場３の変動要因を示す変動要因データを取得する。変動要因データは、施工現場３の自然環境のような変動要因を含み、施工の作業効率に影響を与える。変動要因データは、変動要因データベース３３に記憶されている。変動要因データ取得部２７は、変動要因データを変動要因データベース３３から取得する。
【００７２】
変動要因データは、施工現場３の土砂の種類及び状態を示す土質データを含む。また、変動要因データは、施工現場３の地下の埋設物を示す埋設物データを含む。また、変動要因データは、施工現場３の気象データを含む。土質データ及び埋設物データは、施工前に実施される事前調査から取得される。事前調査として、ボーリング調査が例示される。気象データは、気象庁又は気象会社から取得される。施工前に取得された変動要因データは、変動要因データベース３３に保持される。
【００７３】
＜施工実績データ取得部＞
施工実績データ取得部２１は、施工現場３の施工実績を示す施工実績データを取得する。施工実績データは、建設機械４が実施した施工実績を示すデータである。建設機械４は、自己の施工実績データを取得する。建設機械４は、現況地形に接触する作業部材４４０の刃先４４０ｐの絶対位置の軌跡又はクローラの走行軌跡に基づいて、現況地形を検出可能である。建設機械４は、刃先４４０ｐの絶対位置から検出される現況地形と目標形状である設計地形とを比較して、設計地形に対してどれくらい作業（土砂の切土又は盛土）が進んだのかを示す施工実績データを取得可能である。施工実績データ取得部２１は、施工実績データを建設機械４から無線で取得する。なお、コンピュータシステム２が、建設機械４から現況地形データを取得し、現況地形と設計地形とを比較することによって、施工実績データを取得してもよい。なお、施工実績データ取得部２１は、建設機械４又は建設機械４とは別の車両に搭載されているステレオカメラにより検出された現況地形と設計地形とを比較することによって施工実績データを取得してもよいし、３次元レーザスキャナ装置により検出された現況地形と設計地形とを比較することによって施工実績データを取得してもよい。
【００７４】
＜モードデータ取得部＞
モードデータ取得部２３は、施工の優先項目を示すモードデータを取得する。モードデータの詳細は後述する。施工の優先項目は、施工現場３の作業者Ｍａ又は施工会社１２の作業者Ｍｂによって選択される。作業者Ｍａは、携帯端末７の入力装置７０３又は情報端末８の入力装置８０３を操作して、施工の優先項目を入力する。作業者Ｍｂは、情報端末１３の入力装置１３３を操作して、施工の優先項目を入力する。モードデータ取得部２３は、施工の優先項目を示すモードデータを、携帯端末７、情報端末８、及び情報端末１３の少なくとも一つから、例えばインターネットを介して取得する。
【００７５】
モードデータは、施工の期間を優先する工期優先モードデータ、及び施工の費用を優先するコスト優先モードデータの少なくとも一方を含む。施工を早期に終了させたい場合、作業者Ｍａ又は作業者Ｍｂは、施工の優先項目として工期を選択し、入力装置７０３、入力装置８０３、又は入力装置１３３を操作する。入力装置が操作されることにより、施工の期間を優先する工期優先モードデータがモードデータ取得部２３に取得される。一方、施工を少ない費用で行いたい場合、作業者Ｍａ又は作業者Ｍｂは、施工の優先項目として費用を選択し、入力装置を操作する。入力装置が操作されることにより、施工の費用を優先するコスト優先モードデータがモードデータ取得部２３に取得される。
【００７６】
＜施工計画データ算出部＞
施工計画データ算出部２０は、現況地形データ取得部２２で取得された現況地形データと、設計地形データ取得部２４で取得された設計地形データと、原単位データ取得部２５で取得された原単位データとに基づいて、施工現場３の施工計画を示す施工計画データを算出する。
【００７７】
施工計画データ算出部２０は、現況地形データと設計地形データとを照合して、施工現場３の施工計画を示す施工計画データを算出する。
【００７８】
施工計画データは、施工現場３の施工範囲を示す施工範囲データ、土砂の切土計画データ、及び土砂の盛土計画データの少なくとも一つを含む。
【００７９】
切土計画データは、施工範囲における土砂の切土（掘削）を必要とする部位を示す切土部位データ、及び施工範囲における土砂の切土量（掘削量）を示す切土量データの少なくとも一方を含む。盛土計画データは、施工範囲における土砂の盛土（補填）を必要とする部位を示す盛土部位データ、及び施工範囲における土砂の盛土量（補填量）を示す盛土量データの少なくとも一方を含む。
【００８０】
切土量データは、土砂の切土量を数値で示す切土数値データ、及び土砂の切土量を画像（アイコン又はアニメーション）で示す切土画像データの少なくとも一方を含む。盛土量データは、土砂の盛土量を数値で示す盛土数値データ、及び土砂の盛土量を画像（アイコン又はアニメーション）で示す切土画像データの少なくとも一方を含む。
【００８１】
施工範囲データとは、設計地形データに基づいて現況地形を変化させる範囲を示すデータである。施工範囲データは、現況地形データと設計地形データとの差分を表す施工範囲又は施工量を示す。
【００８２】
以下の説明においては、施工範囲における土砂の切土量を示す切土量データ、又は施工範囲における土砂の盛土量を示す盛土量データを適宜、土量データ、と称する。土量データは、施工範囲において掘削される土砂の量（掘削量又は切土量）、又は施工範囲に投入される土砂の量（補填量又は盛土量）を示す。
【００８３】
施工計画データ算出部２０は、現況地形と設計地形とを照合して、現況地形からの切土部位及び切土量と、現況地形に対する盛土部位及び盛土量とを算出する。施工計画データ算出部２０は、算出した施工範囲データ及び土量データと、原単位データとに基づいて、施工計画データを算出する。
【００８４】
また、施工計画データは、施工現場３で使用する作業機械の種類、車格、及び台数を示す作業機械データ、作業機械を使用した施工の工程表を示す工程表データ、及び施工に要する費用を示すコストデータの少なくとも一つを含む。工程表データは、施工の作業手順を示すフローデータ、施工の作業毎の作業時間を示す作業時間データ、及び施工が完了するまでの期間を示す工期データの少なくとも一つを含む。
【００８５】
また、施工計画データ算出部２０は、算出した施工範囲データと、施工範囲における土砂の切土量又は盛土量を示す土量データと、原単位データとに基づいて、施工計画データを算出する。
【００８６】
また、施工計画データ算出部２０は、施工条件データ取得部２６により施工条件データが取得された場合、現況地形データと、設計地形データと、原単位データと、施工条件データとに基づいて、施工計画データを算出する。
【００８７】
また、施工計画データ算出部２０は、変動要因データ取得部２７により変動要因データが取得された場合、現況地形データと、設計地形データと、原単位データと、変動要因データとに基づいて、施工計画データを算出する。
【００８８】
また、施工計画データ算出部２０は、モードデータ取得部２３によりモードデータが取得された場合、現況地形データと、設計地形データと、原単位データと、モードデータとに基づいて、施工計画データを算出する。
【００８９】
また、施工計画データ算出部２０は、施工実績データ取得部２１により施工実績データが取得された場合、施工実績データに基づいて、施工計画データを再算出する。
【００９０】
また、施工計画データ算出部２０は、施工の工程毎に、施工計画データを算出する。また、施工計画データ算出部２０は、施工日毎に、施工計画データを算出する。
【００９１】
現況地形及び設計地形と、原単位データとに基づいて、施工計画データが算出される。上述のように、原単位データとは、作業機械の種類、車格、及び作業機械の台数の少なくとも一つを含む作業機械の条件を示す。換言すれば、原単位データとは、施工現場に投入可能な作業機械の作業能力を示す。施工計画データ算出部２０は、現況地形からの切土部位及び切土量と作業機械の能力を示す原単位データとに基づいて、どの種類又は車格の作業機械が何台投入された場合にどれくらいの時間で切土工程が完了するのかを推定することができる。同様に、施工計画データ算出部２０は、現況地形に対する盛土部位及び盛土量と作業機械の能力を示す原単位データとに基づいて、どの種類又は車格の作業機械が何台投入された場合にどれくらいの時間で盛土工程が完了するのかを推定することができる。そのため、施工計画データ算出部２０は、現況地形データ取得部２２で取得された現況地形データから導出された現況地形と、設計地形データ取得部２４で取得された設計地形データから導出された設計地形と、原単位データ取得部２５で取得された原単位データとに基づいて、原単位データから導出される作業機械を使用した場合の切土工程及び盛土工程が完了するまでの時間を示す施工計画データを算出することができる。
【００９２】
また、施工計画データ算出部２０は、現況地形及び設計地形に基づいて、施工の作業手順を示すフローデータを算出する。例えば、盛土を必要とする部位に盛土をする場合、施工現場の外部から土砂を運搬しなくても、施工範囲における切土を使って盛土を実施可能である場合、施工計画データ算出部２０は、盛土を必要とする部位よりも高さ（標高）が高い位置に存在する切土を使って盛土が実施されるように、フローデータを算出する。高い位置から低い位置へ土砂が運搬されるようにフローデータが算出されることで、作業の負担が軽減され、作業効率が向上する。
【００９３】
＜施工計画データ出力部＞
施工計画データ出力部２８は、施工計画データ算出部２０で算出された施工計画データを出力する。施工計画データ出力部２８は、結果データベース３４に施工計画データを出力する。以下の説明においては、施工計画データ出力部２８を単にデータ出力部２８と称することもある。
【００９４】
また、施工計画データ出力部２８は、施工計画データ算出部２０で算出された施工計画データを、携帯端末７、施工現場３に設けられている情報端末８、施工会社１２に設けられている情報端末１３、及びサポートセンター１４に設けられている情報端末１５の少なくとも一つにインターネットを介して出力する。携帯端末７の出力装置７０４、情報端末８の出力装置８０４、情報端末１３の出力装置１３４、及び情報端末１５の出力装置１５４は、施工計画データを出力可能な第１出力装置として機能する。
【００９５】
携帯端末７の出力装置７０４、情報端末８の出力装置７０４、情報端末１３の出力装置１３４、及び情報端末１５の出力装置１５４は、画像データを表示可能な表示装置を含む。出力装置７０４、出力装置８０４、出力装置１３４、及び出力装置１５４は、例えば液晶ディスプレイのようなフラットパネルディスプレイを含む。携帯端末７、情報端末８、情報端末１３、及び情報端末１５は、施工計画データを画像データに変換し、出力装置７０４、出力装置８０４、出力装置１３４、及び出力装置１５４に表示する。
【００９６】
なお、出力装置７０４、出力装置８０４、出力装置１３４、及び出力装置１５４は、紙媒体のような媒体に施工計画データを印刷する印刷装置を含んでもよい。出力装置７０４、出力装置８０４、出力装置１３４、及び出力装置１５４が、例えばインクジェットプリンタのようなプリント装置を含んでもよい。
【００９７】
施工計画データ出力部２８は、出力装置７０４，８０４，１３４，１５４に出力させる出力データを、出力形式を指令する指令信号とともに、出力装置７０４，８０４，１３４，１５４に出力する。施工計画データ出力部２８は、出力装置７０４，８０４，１３４，１５４に指令信号を出力して、出力装置７０４，８０４，１３４，１５４に出力させる出力データの出力形式を指定する。出力装置７０４，８０４，１３４，１５４は、施工計画データ出力部２８により指定された出力形式に基づいて、出力データを出力する。
【００９８】
以下の説明においては、出力装置７０４、出力装置８０４、出力装置１３４、及び出力装置１５４が表示装置であることとし、携帯端末７の出力装置７０４を適宜、表示装置７０４、と称し、情報端末８の出力装置８０４を適宜、表示装置８０４、と称し、情報端末１３の出力装置１３４を適宜、表示装置１３４、と称し、情報端末１５の出力装置１５４を適宜、表示装置１５４、と称する。出力装置による出力は、表示装置による表示を含む。
【００９９】
施工計画データ出力部２８は、表示装置７０４，８０４，１３４，１５４に表示させる表示データを、表示形式を指令する指令信号とともに、表示装置７０４，８０４，１３４，１５４に出力する。施工計画データ出力部２８は、表示装置７０４，８０４，１３４，１５４に指令信号を出力して、表示装置７０４，８０４，１３４，１５４に表示させる表示データの表示形式を指定する。表示装置７０４，８０４，１３４，１５４は、施工計画データ出力部２８により指定された表示形式に基づいて、表示データを表示する。
【０１００】
ドローン１０のカメラ１１によって取得された現況地形データ、及び施工会社１２において作成された設計地形データは、施工計画データ算出部２０及び施工計画データ出力部２８を介して、携帯端末７、情報端末８、情報端末１３、及び情報端末１５に出力される。施工計画データ算出部２０は、取得した現況地形データ及び設計地形データを、３次元画像データに加工する。すなわち、施工計画データ算出部２０は、カメラ１１によって取得された現況地形の画像データを、３次元画像データに変換する。また、施工計画データ算出部２０は、施工会社１２において作成された設計図面である２次元設計地形データ又は３次元設計地形データを、３次元画像データに変換する。施工計画データ算出部２０は、現況地形データ及び設計地形データの３次元画像データを、施工計画データ出力部２８を介して、携帯端末７、情報端末８、情報端末１３、及び情報端末１５に出力する。
【０１０１】
施工計画データ出力部２８は、表示データとして現況地形データ及び設計地形データを出力し、表示形式を指定する指令信号として３次元表示指令信号を出力する。施工計画データ出力部２８は、現況地形データ及び設計地形データが３次元表示されるように、表示装置７０４，８０４，１３４，１５４の表示形式を指定する。携帯端末７の表示装置７０４、情報端末８の表示装置８０４、情報端末１３の表示装置１３４、及び情報端末１５の表示装置１５４は、施工計画データ出力部２８により指定された表示形式に基づいて、現況地形データ及び設計地形データを３次元表示する。
【０１０２】
また、施工計画データ出力部２８は、現況地形データ及び設計地形データが、３次元画像形式のみならず、２次元画像形式、数値形式、文字形式、及び表形式の少なくとも一つの表示形式で表示されるように、表示装置７０４，８０４，１３４，１５４の表示形式を指定することができる。
【０１０３】
また、建設機械４によって取得された施工実績データは、施工計画データ算出部２０及び施工計画データ出力部２８を介して、携帯端末７、情報端末８、情報端末１３、及び情報端末１５に出力される。携帯端末７、情報端末８、情報端末１３、及び情報端末１５は、施工実績データを出力可能な第２出力装置として機能する。施工計画データ算出部２０は、建設機械４から取得した施工実績データを、３次元画像データに加工する。すなわち、施工計画データ算出部２０は、建設機械４によって取得された複数のメッシュ点それぞれの位置データを、３次元画像データに変換する。施工計画データ算出部２０は、施工実績データを、施工計画データ出力部２８を介して、携帯端末７、情報端末８、情報端末１３、及び情報端末１５に出力する。
【０１０４】
施工計画データ出力部２８は、表示データとして施工実績データを出力し、表示形式を指定する指令信号として３次元表示指令信号を出力する。施工計画データ出力部２８は、施工実績データが３次元表示されるように、表示装置７０４，８０４，１３４，１５４の表示形式を指定する。携帯端末７の表示装置７０４、情報端末８の表示装置８０４、情報端末１３の表示装置１３４、及び情報端末１５の表示装置１５４は、施工計画データ出力部２８により指定された表示形式に基づいて、施工実績データを３次元表示する。
【０１０５】
また、施工計画データ出力部２８は、施工実績データが、３次元画像形式のみならず、２次元画像形式、数値形式、文字形式、及び表形式の少なくとも一つの表示形式で表示されるように、表示装置７０４，８０４，１３４，１５４の表示形式を指定することができる。
【０１０６】
［サポートセンター］
サポートセンター１４の情報端末１５は、コンピュータシステム２の施工計画データ算出部２０と同等の機能を実行可能である。例えば、情報端末１５は、施工計画データ算出部２０が実行可能な３次元画像データの生成を実行可能である。情報端末１５は、施工計画データ算出部２０の代わりに、建設機械４から取得した施工実績データを３次元画像データに加工すること、施工会社１２において作成された設計図面である２次元設計地形データ又は３次元設計地形データを３次元画像データに変換することを実行可能である。生成された３次元画像データは、入出力インターフェース回路１５５及びコンピュータシステム２を介して、携帯端末７及び情報端末８に送信される。
【０１０７】
また、サポートセンター１４は、施工現場３から要求された設計地形の変更を受け付ける。サポートセンター１４において、情報端末１５を使って、変更後の設計地形を示す設計地形データが算出される。情報端末１５は、変更後の設計地形データを、例えば、インターネットを介して、コンピュータシステム２に送信する。コンピュータシステム２の設計地形データ取得部２４は、サポートセンター１４から出力された変更後の設計地形データを取得する。施工計画データ算出部２０は、変更後の設計地形データに基づいて、施工計画データを再算出する。
【０１０８】
変更後の設計地形データは、建設機械４に送信される。変更後の設計地形データに基づいて、作業部材４４０が制御される。
【０１０９】
＜遠隔制御部＞
また、コンピュータシステム２は、設計地形データに基づいて、建設機械４を遠隔操作するための制御信号を出力する遠隔制御部２９を有してもよい。遠隔制御部２９は、建設機械４をリモートコントロールする。施工現場３からの要望により設計地形が変更された場合、遠隔制御部２９は、変更後の設計地形データに基づいて、建設機械４を遠隔操作するための制御信号を出力することができる。
【０１１０】
［施工管理方法］
次に、施工管理システム１を用いる施工管理方法について説明する。図１２は、施工計画方法を示すフローチャートである。
【０１１１】
上述のように、現況地形データ、設計地形データ、施工計画データ、及び施工実績データがコンピュータシステム２に取得される。コンピュータシステム２の施工計画データ出力部２８は、携帯端末７、情報端末８、情報端末１３、及び情報端末１５に、現況地形データ、設計地形データ、施工計画データ、及び施工実績データの少なくとも一つを出力する。携帯端末７の表示装置７０４、情報端末８の表示装置８０４、情報端末１３の表示装置１３４、及び情報端末１５の表示装置１５４は、施工計画データ出力部２８から出力された現況地形データ、設計地形データ、施工計画データ、及び施工実績データを表示可能である。以下の説明においては、説明を簡略化するため、施工計画データ出力部２８は、携帯端末７の表示装置７０４に、現況地形データ、設計地形データ、施工計画データ、及び施工実績データの少なくとも一つを出力することとする。
【０１１２】
ドローン１０を使って施工現場３の測量が行われる。ドローン１０のカメラ１１は、施工現場３の３次元現況地形データを取得する。現況地形データ取得部２２は、カメラ１１から現況地形データを取得する（ステップＳ１０）。
【０１１３】
また、設計地形データが設計地形データ取得部２４に取得される（ステップＳ２０）。
【０１１４】
施工計画データ算出部２０は、現況地形データの３次元画像データ、及び設計地形データの３次元画像データを生成する（ステップＳ３０）。
【０１１５】
現況地形データの３次元画像データ及び設計地形データの３次元画像データが、携帯端末７に送信される。携帯端末７の表示装置７０４に、現況地形データの３次元画像データ及び設計地形データの３次元画像データが表示される（ステップＳ４０）。
【０１１６】
図１３は、表示装置７０４による、現況地形データの３次元画像データの表示例を示す図である。施工計画データ出力部２８は、表示装置７０４に、現況地形データを３次元表示させる。表示装置７０４は、現況地形の複数の部位を異なるデザイン（色又は模様）で表示する。図１３に示す例では、現状地形の標高に基づいて、現況地形が複数の部位に離散的に分けられる。第１範囲の標高の部位が第１デザインで表示され、第１範囲とは標高が異なる第２範囲の標高の部位が第２デザインで、第Ｎ範囲の標高の部位が第Ｎデザインで表示される。但し、Ｎは３以上の自然数である。
【０１１７】
図１４は、表示装置７０４による、設計地形データの３次元画像データの表示例を示す図である。例えば、設計地形の形状が、ポリゴン表示による３次元画像データとして表示される。施工計画データ出力部２８は、表示装置７０４に、設計地形データを３次元表示させる。表示装置７０４は、施工後の目標形状である設計地形を複数のラインを使って表示する。
【０１１８】
図１５は、表示装置７０４による別の表示例を示す。図１５に示すように、施工計画データ出力部２８は、表示装置７０４に、現況地形データと設計地形データとを並べて３次元表示させることができる。図１５に示す例では、現況地形データの３次元画像データと設計地形データの３次元画像データとが表示装置７０４の表示画面に並んで同時に表示されている。
【０１１９】
施工計画データ算出部２０は、現況地形データと設計地形データとを照合して、施工現場の施工範囲を示す施工範囲データと、施工範囲における土砂の切土計画データと、施工範囲における土砂の盛土計画データとを算出する。上述のように、切土計画データは、切土部位データ及び切土量データの少なくとも一方を含み、盛土計画データは、盛土部位データ及び盛土量データの少なくとも一方を含む。切土量データは、切土数値データを含み、盛土量データは、盛土数値データを含む。施工計画データ算出部２０は、施工範囲における土砂の切土を必要とする部位を示す切土部位データを含む切土計画データと、施工範囲における土砂の盛土を必要とする部位を示す盛土部位データを含む盛土計画データとを算出する。また、施工計画データ算出部２０は、現況地形データと設計地形データとを照合して、施工範囲において切土される土砂の切土量を示す切土量データである切土数値データと、施工範囲に投入される土砂の盛土量を示す盛土量データである盛土数値データを算出する（ステップＳ５０）。土量データは、切土量データ（切土数値データ）及び盛土量データ（盛土数値データ）を含む。
【０１２０】
施工計画データ算出部２０は、施工範囲データ及び土量データの３次元画像データを算出し、施工計画データ出力部２８を介して、携帯端末７に送信する。携帯端末７の表示装置７０４は、施工範囲データ及び土量データの３次元画像データを表示する（ステップＳ６０）。
【０１２１】
図１６は、表示装置７０４による、施工範囲データ及び土量データに関する３次元画像データの表示例を示す。図１６に示すように、３次元画像データとともに数値データが表示されてもよい。３次元画像データにおいて現況地形データと設計地形データとの差が色分け又は模様分けされて視覚化されることにより、作業者又は管理者は、施工前に、施工すべき範囲、及び施工途中又は施工後の形等を把握することができる。例えば、３次元地形データにおいて、施工完了の範囲が青色で表示され、施工未完了の範囲が黄色で表示されてもよい。数値データにより、作業者又は管理者は、これまでの切土量、必要な切土量、投入された盛土量、必要な運土量、施工未完の法面面積の大きさ、及び施工済みの法面面積の大きさ等を正確に把握することができる。
【０１２２】
また、施工計画データ出力部２８は、施工計画データ算出部２０で算出された、施工範囲データ、切土計画データ、及び盛土計画データを携帯端末７の表示装置７０４に出力する。
【０１２３】
図１７は、表示装置７０４による、設計地形データ、施工範囲データ、切土計画データの切土部位データ、切土計画データの切土数値データ、盛土計画データの盛土部位データ、及び盛土計画データの盛土数値データの表示例を示す。図１７に示すように、施工計画データ出力部２８は、表示装置７０４に、施工範囲における、切土計画データ（切土部位データ）及び盛土計画データ（盛土部位データ）を並べて３次元表示させる。設計地形データ、切土計画データ（切土部位データ）、及び盛土計画データ（盛土部位データ）は、例えば、ポリゴン表示により３次元表示される。切土計画データ（切土部位データ）と盛土計画データ（盛土部位データ）とは、後述するように重ねて表示したときに両者を区別できるように異なるデザイン（色又は模様）で表示される。
【０１２４】
また、施工計画データ出力部２８は、表示装置７０４に、施工範囲内における、設計地形データと切土計画データ（切土部位データ）と盛土計画データ（盛土部位データ）とを重ねて表示させる。設計地形データと切土計画データ（切土部位データ）と盛土計画データ（盛土部位データ）とは、異なるデザインで重ね表示される。
【０１２５】
また、施工計画データ出力部２８は、表示装置７０４に、切土数値データ及び盛土数値データを表示させる。図１７に示す例では、切土数値データとして、切土量「２１，６６０ｍ３」が表示され、盛土数値データとして、盛土量「１９，１９８ｍ３」が表示される。
【０１２６】
なお、施工計画データ出力部２８は、表示装置７０４に、現況地形データと切土計画データ（切土部位データ又は切土量データ）とを並べて３次元表示させてもよいし、現況地形データと盛土計画データ（盛土部位データ又は盛土量データ）とを並べて表示させてもよい。施工計画データ出力部２８は、表示装置７０４に、現況地形データ、設計地形データ、施工範囲データ、切土計画データ（切土部位データ又は切土量データ）、及び盛土計画データ（盛土部位データ又は盛土量データ）の少なくとも二つを並べて３次元表示させることができる。
【０１２７】
なお、施工計画データ出力部２８は、表示装置７０４に、現況地形データと切土計画データ（切土部位データ又は切土量データ）とを重ねて表示させてもよいし、現況地形データと盛土地形データ（盛土部位データ又は盛土量データ）とを重ねて表示させてもよい。施工計画データ出力部２８は、表示装置７０４に、現況地形データ、設計地形データ、施工範囲データ、切土計画データ（切土部位データ又は切土量データ）、及び盛土計画データ（盛土部位データ又は盛土量データ）の少なくとも二つを重ね表示させることができる。
【０１２８】
なお、施工計画データ出力部２８は、表示装置７０４に、切土数値データを表示させ、盛土数値データを表示させなくてもよい。なお、施工計画データ出力部２８は、表示装置７０４に、盛土数値データを表示させ、切土数値データを表示させなくてもよい。以上のように、表示装置７０４に切土計画データや盛土計画データ、設計地形データ、及び現況地形データなどを３次元表示により表示することにより、施工現場の管理者等は、どの場所にどのような施工がどの程度必要なのかを把握することができる。また、例えば、現況地形データと切土計画データ又は盛土計画データとを重ね合わせて表示することで、施工の進捗を把握することができる。
【０１２９】
原単位データが原単位データ取得部２５に取得される（ステップＳ７０）。原単位データを取得した施工計画データ算出部２０は、原単位データの画像データを生成し、携帯端末７の表示装置７０４に、原単位データの画像データを表示させる。
【０１３０】
図１８は、ブルドーザ４Ａの原単位データの表示例を示す。ブルドーザ４Ａの原単位データとして、ブルドーザ４Ａの種類や車格（形式名）、ブレードサイズ、単位時間当たりに実施可能な押土量又は盛土量等が表示される。図１９は、油圧ショベル４Ｂの原単位データの表示例を示す。油圧ショベル４Ｂの原単位データとして、油圧ショベル４Ｂの種類、車格（形式名）、バケット容量、及び単位時間当たりに実施可能な切土量（掘削量）、盛土量（補填量）、及び積込量等が表示される。
【０１３１】
施工条件データが施工条件データ取得部２６に取得される（ステップＳ８０）。また、変動要因データが変動要因データ取得部２７に取得される（ステップＳ９０）。
【０１３２】
施工計画データ算出部２０は、現況地形データと、設計地形データと、原単位データと、施工条件データと、変動要因データとに基づいて、施工計画データを算出する（ステップＳ１００）。施工計画データ算出部２０は、現況地形データと、設計地形データと、原単位データと、施工条件データと、変動要因データとに基づいて、施工をシミュレーションし、最適な施工計画データを策定する。
【０１３３】
上述のように、原単位データは、作業機械の能力を含み、一例として、作業部材４４０のサイズを含む。そのため、原単位データに基づいて、例えば、１回の掘削動作でバケット４４０Ｂが掘削できる土量が求められる。現況地形データと設計地形データとの差分により、現況地形を設計地形に仕上げるために必要なバケット４４０Ｂの掘削動作の回数が求められる。また、単位時間当たりに実施可能な油圧ショベル４Ｂの掘削動作の回数（油圧ショベル４Ｂの作業能力）も、既知データである原単位データから求められる。したがって、どの油圧ショベル４Ｂを何台使用すれば、目標工期内に施工を完了させることができるのかを算出することができる。また、施工条件データが示す制約条件に基づいて、どの作業機械を何台使用すればよいのか、あるいはどの作業者を何人作業現場に投入すればよいのかを求めることができる。
【０１３４】
また、盛土をするために施工現場３の外から運搬車両５を使って施工現場３に土砂を運搬する場合において、運搬車両５が一般道路を走行する場合、走行ルート、走行速度、及び交通事情（渋滞の有無など）などにより、運搬車両３が施工現場３に土砂を運搬するタイミング又は単位時間当たりに運搬可能な土砂の量が変化する可能性がある。例えば、目標タイミングよりも遅れて運搬車両５が施工現場３に到着する場合、運搬車両５が施工現場３に到着するまでの間、建設機械４又は作業者Ｍａの作業が中断せざるを得ない状況が発生する可能性がある。そのため、運搬車両５の走行ルート、施工現場３への到着予想時点などを含む運搬車両５に係る原単位データに基づいて、効率良い作業が実施されるように、施工計画データを策定することができる。
【０１３５】
また、施工現場３の掘削を進めていくと、土質が変化する可能性がある。土質により、同一の作業能力の作業機械を使用したとしても、作業スピードが変化する。例えば、粘土質の地面を掘削する場合と、砂質の地面と掘削する場合とでは、同一の作業能力の作業機械を使用したとしても、粘土質の地面を掘削する場合の方が、砂質の地面を掘削する場合に比べて、作業スピードが低下し、作業時間が長期化する。土質は、ボーリング調査のような事前調査によって予め求めることができる既知データである。また、土質に応じた作業機械の作業スピードも、予め求めておくことができる。したがって、土質データを含む変動要因データを考慮することによって、ある作業機械を使用した場合の作業時間をシミュレーションすることができる。
【０１３６】
また、降雨時と晴天時とでは、施工のし難さ（トラフィカビリティ）が変化する。作業機械の走行に耐え得る地面の能力（走行可能な度合い）をトラフィカビリティという。例えば、降雨時では、晴天時に比べて、運搬車両５の走行可能最高速度が遅くなったり、建設機械４（例えばブルドーザ４Ａ）の作業スピードが遅くなったりする可能性がある。気象に応じた作業機械の作業スピード又は運搬車両５の走行可能最高速度も、予め求めておくことができる。したがって、気象データを含む変動要因データを考慮することによって、ある作業機械を使用した場合の作業時間をシミュレーションすることができる。また、気象データに基づいて、降雨又は降雪に対応した仕様の建設機械４を施工現場３に投入するといった施工計画を策定することもできる。降雨に対応した仕様の建設機械４とは、例えば、ぬかるんだ路面を走行可能なように幅広の履帯を備えたブルドーザ４Ａ又は降雪対応のタイヤを備えた運搬車両５等である。
【０１３７】
また、施工現場３の監査又は労働規約により、施工を実施できる作業可能期間及び施工を実施できない作業不可能期間が決められている場合がある。それら作業可能時間及び作用不可能時間を示すスケジュールデータは、事前に分かっている既知データであり、施工条件データとして施工条件データベースに記憶されている。施工条件データが取得された場合、施工計画データ算出部２０は、スケジュールデータを含む施工条件データに基づいて、施工計画データを算出する。
【０１３８】
また、施工において実施すべき作業内容及び作業手順を示す工程設計データは、事前に決められており、施工条件データとして施工条件データベースに記憶されている。施工計画データ算出部２０は、工程設計データを含む施工条件データに基づいて、施工計画データを算出する。
【０１３９】
施工計画データ出力部２８は、算出された施工計画データを携帯端末７に出力する（ステップＳ１１０）。携帯端末７の表示装置７０４は、施工計画データを表示する（ステップＳ１２０）。
【０１４０】
図２０は、表示装置７０４による施工計画データの表示例を示す。施工計画データ出力部２８は、表示装置７０４に、切土計画データ（切土部位データ）及び盛土計画データ（盛土部位データ）を３次元表示させる。表示装置７０４は、切土を必要とする部位を示す切土部位と、盛土を必要とする部位を示す盛土部位とを、異なるデザインで表示する。
【０１４１】
図２１は、表示装置７０４による施工計画データの表示例を示す。図２１に示すように、施工計画データ出力部２８は、表示装置７０４に、切土計画データ（切土部位データ）及び盛土計画データ（盛土部位データ）を複数のシェル要素で規定し、２次元表示させることができる。図２１に示す例では、表示装置７０４の表示画面に複数の表示領域７０４Ａ，７０４Ｂ，７０４Ｃ，７０４Ｄが設定される。複数のシェル要素で規定された現況地形は、表示領域７０４Ａに表示される。表示装置７０４は、複数のシェル要素のうち、切土を必要とする部位を示す切土シェル要素と、盛土を必要とする部位を示す盛土シェル要素とを、異なるデザインで表示する。また、施工計画データ出力部２８は、表示領域７０４Ａに表示された２次元画像データを（１）の方向から見たときの３次元画像データを表示領域７０４Ｂに表示させ、（２）の方向から見たときの３次元画像データを表示領域７０４Ｃに表示させ、（３）の方向から見たときの３次元画像データを表示領域７０４Ｄに表示させる。
【０１４２】
図２２は、表示装置７０４による施工計画データの表示例を示す。図２２に示すように、施工計画データ出力部２８は、表示装置７０４に、現況地形について、切土量毎及び盛土量毎に異なるデザインで表示させることができる。このような施工計画データの表示は、施工計画を確認するために、施工現場を施工する前に表示させてもよいし、施工現場の施工が開始し、施工結果を逐次確認するために表示するようにしてもよい。また、施工計画データ出力部２８は、表示装置７０４に、総切土量の数値データ、及び総盛土量の数値データを表示することができる。図２２に示す例では、表示装置７０４の表示画面の左側の領域に、現況地形の２次元画像が表示される。また、表示装置７０４の表示画面の右側の下の領域に、切土量毎及び盛土量毎に示されるデザインの説明が表示される。図２２に示す例では、現況地形の２次元画像において、現況地形を示す２次元画像のうち、切土量が０．０［ｍ３］以上５．０［ｍ３］未満の領域が第１のデザインで表示され、切土量が５．０［ｍ３］以上の領域が第２のデザインで表示される。また、現況地形を示す２次元画像のうち、盛土量が０．０［ｍ３］以上７．５［ｍ３］未満の領域が第３のデザインで表示され、盛土量が７．５［ｍ３］以上の領域が第４のデザインで表示される。また、また、表示装置７０４の表示画面の右側の上の領域に、施工範囲の面積を示す文字データ及び数値データである「対象範囲：３８０．６３５ｍ２」が表示され、総切土量の数値データを示す「総切土量：７５６．５８９ｍ３」が表示され、総盛土量の数値データを示す「総盛土量：６９３．７３９ｍ３」が表示される。また、切土量及び盛土量についての演算結果及び注釈が文字データ及び数値データとして表示される。このような施工計画データの表示により、施工現場の管理者等は、どの場所にどのような施工がどの程度必要なのかを把握することができる。
【０１４３】
図２３は、表示装置７０４による施工計画データの表示例を示す。図２３に示すように、施工計画データ出力部２８は、表示装置７０４に、現況地形の任意の位置における断面形状を２次元表示させるとともに、切土を必要とする部位を示す切土計画データと、盛土を必要とする盛土計画データとを異なるデザイン（色又は模様）で表示することができる。例えば、施工計画データ出力部２８は、表示装置７０４に、切土を必要とする断面形状を第１の色（例えばピンク）で表示させ、盛土を必要とする断面形状を第２の色（例えばブルー）で表示させる。
【０１４４】
図２４、図２５、及び図２６は、表示装置７０４による施工計画データの表示例を示す。図２４及び図２５に示すように、施工計画データとして、施工現場３で使用する作業機械の種類及び台数を示す作業機械データが表示される。また、図２４及び図２６に示すように、施工計画データとして、作業機械を使用した施工の工程表を示す工程表データが表示される。図２６に示すように、工程表データとして、施工の作業手順を示すフローデータが表示される。図２４及び図２６に示すように、工程表データとして、施工の作業毎の作業時間を示す作業時間データが表示される。また、図２５に示すように、工程表データとして、施工が完了するまでの期間を示す工期データが表示される。
【０１４５】
また、図２５及び図２６に示すように、施工計画データとして、施工に要する費用を示すコストデータが表示される。本実施形態において、コストデータは、使用される作業機械の種類、車格、及び台数である。
【０１４６】
また、図２５に示すように、モードデータに対応した施工計画データが表示される。図２５の横軸は、施工開始からの経過予想時間であり、縦軸は、施工の進捗率である。施工計画データ算出部２０は、施工の期間を優先する工期優先モード、施工の費用を優先するコスト優先モード、及び工期と費用との両立を図る中間モードのそれぞれについて、使用される作業機械の種類、車格、及び台数で表されるコストデータ、及び施工開始から施工終了までの予想時間データをシミュレーションし、表示する。図２５に示す「Ａ」は、工期優先モードが選択された場合のコストデータ及び予想時間データを示す。「Ａ」は、油圧ショベル４Ｂが６台使用され、ブルドーザ４Ａが３台使用され、運搬車両２０が２０台使用された場合、工期を短くすることを示している。図２５に示す「Ｃ」は、コスト優先モードが選択された場合のコストデータ及び予想時間データを示す。「Ｃ」は、油圧ショベル４Ｂが３台使用され、ブルドーザ４Ａが１台使用され、運搬車両２０が１０台使用された場合、コストを抑えることができるが工期が長くなることを示している。図２５に示す「Ｂ」は、中間モードが選択された場合のコストデータ及び予想時間データを示す。「Ｂ」は、油圧ショベル４Ｂが５台使用され、ブルドーザ４Ａが２台使用され、運搬車両２０が１６台使用された場合、コスト及び工期を、工期優先モードとコスト優先モードとの間の値にすることができることを示している。このように、施工計画データ算出部１００は、複数パターンの施工計画データを算出し、作業者や管理者に提案することができる。
【０１４７】
モードデータがモードデータ取得部２３に取得される（ステップＳ１３０）。すなわち、作業者Ｍａは、携帯端末７の入力装置７０３又は情報端末８の入力装置８０３を操作して、施工管理システム１によって提案された、図２５に示した「Ａ」「Ｂ」「Ｃ」の３パターンの施工計画データの中から、任意の施工計画データを選択する。入力装置７０３が操作されることにより、施工の優先項目を示すモードデータが、例えば、インターネットを介してモードデータ取得部２３に取得される。
【０１４８】
モードデータが選択されることにより、施工計画が決定される（ステップＳ１４０）。  施工管理システム１は、選択された施工計画に基づいて、工程表データを算出し、作業機械を保有する管理会社、作業機械のオペレータ、又は作業機械のレンタル会社等に対して作業機械の手配を自動で行うことができる。これにより、施工現場は、早期に施工を開始することができる。
【０１４９】
図２６に示した工程表データについて説明する。例えば、掘削の工程について、第１日目から第６日目までの期間に、運搬車両５が３台、油圧ショベル４Ｂが２台、施工現場に投入される計画が示されている。また、盛土の工程について、第４日目から第８日目までの期間に、油圧ショベル４Ｂが２台、施工現場に投入される計画が示されている。このように、工程表データによれば、いずれの工程に対して、どの期間に建設機械４又は運搬車両５が何台必要であるのかを視覚的に容易に把握することができる。
【０１５０】
図２７及び図２８は、表示装置７０４による施工計画データの別の表示例を示す。図２７及び図２８に示すように、施工計画データ出力部２８は、表示装置７０４に、施工の工程毎に、施工計画データを表示させることができる。図２７及び図２８に示す例では、表示装置７０４は、例えば、掘削工程、盛土工程、法面整形工程、及び溝掘削工程毎に、施工計画データを表示する。
【０１５１】
図２７に示すように、施工計画データ出力部２８は、表示装置７０４に、施工計画データとして、各工程に必要な施工量を示す施工量データ、各工程に必要な作業機械の種類及び台数を示す作業機械データ、単位時間当たりに実施可能な作業機械の作業量である作業原単位を示す作業原単位データ、及び各工程が完了するまでの所要時間を示す必要時間データを、表形式で、文字データ及び数値データを使って表示させる。施工量データとして「施工量」の項目が表示され、作業機械データとして「作業機械」の項目が表示され、作業原単位データとして「作業原単位」の項目が表示され、必要時間データとして「必要日数」の項目が表示される。
【０１５２】
施工量とは、各工程で計画される切土量又は盛土量の総和である。本実施形態において、施工量と土量とは同じ意味である。図２７に示す例では、掘削工程の施工量は「２２，２４０ｍ３」であり、盛土工程の施工量は「２６，９８４ｍ３」であり、法面整形工程の施工量は「６，２０８ｍ３」であり、溝掘削工程の施工量は「４７３ｍ３」である。
【０１５３】
各工程に必要な作業機械の種類は、作業機械の大きさ（車格）を含む。図２７に示す「ＰＣ２００ｉ」及び「Ｄ６１ＰＸ」は作業機械の種類を示し「×１」は必要な作業機械の台数を示す。
【０１５４】
作業原単位は、単位時間当たりに実施可能な作業機械の作業量である。図２７に示す例では、掘削工程、盛土工程、法面整形工程、及び溝掘削工程の作業原単位はそれぞれ、「５７６ｍ３」、「１，０００ｍ３」、「２００ｍ３」、「１５０ｍ３」である。
【０１５５】
必要日数は、掘削工程、盛土工程、法面整形工程、及び溝掘削工程の各工程が完了するまでの所要時間であり、それぞれ「３９日」、「２７日」、「３１日」、及び「３日」である。施工現場の管理者等は、このような施工計画データから作業機械の手配やオペレータの確保、施工にかかるコスト見積もりなどを容易に行うことができる。
【０１５６】
なお、図２７に示す施工計画データにおいて、施工計画データ出力部２８は、表示装置７０４に、施工の各工程に必要な施工量を示す施工量データ、各工程に必要な作業機械の種類及び台数を示す作業機械データ、単位時間当たりに実施可能な作業機械の作業量である作業原単位を示す作業原単位データ、及び各工程が完了するまでの所要時間を示す必要時間データのうち、少なくとも一つを表示させてもよい。また、予定されている工程の全てについて施工量データ等が表示されずに、ある工程だけについて、施工量データ、作業機械データ、作業原単位データ、及び必要時間データの全部が表示されてもよいし、ある工程だけについて、施工量データ、作業機械データ、作業原単位データ、及び必要時間データの少なくとも一つが表示されてもよい。
【０１５７】
また、図２８に示すように、施工計画データ出力部２８は、表示装置７０４に、各工程毎の工程表（スケジュール）を示す工程表データを表示させることができる。図２８に示す例では、１１月１９日を初日として「掘削工程」が完了するまでに３９日間を要することが棒グラフ形式で示され、「盛土工程」が完了するまでに２７日間を要することが棒グラフ形式で示される。また、１１月２８日を初日として「法面整形工程」が完了するまでに３１日間を要することが棒グラフ形式で示され、１２月１１日を初日として「溝掘削工程」が３日間を要することが棒グラフ形式で示される。施工現場の管理者等は、この工程表データからも、作業機械の手配やオペレータあるいは作業者の手配や確保を容易に行うことができる。
【０１５８】
施工現場３では、決定された施工計画に基づいて、施工が開始される（ステップＳ１５０）。施工計画データ出力部２８から、建設機械４に、設計地形データ及び施工計画データが送信される。建設機械４は、設計地形データに基づいて、作業部材４４０を制御しながら、施工現場３の施工を行う。これにより、経験の浅い運転者に操作される建設機械４でも、設計図面通りの高精度の施工が可能となる。また、熟練の運転者に操作される建設機械４においては、生産性の飛躍的な向上をもたらす。
【０１５９】
作業を行う建設機械４から、例えば、リアルタイムで施工実績データがコンピュータシステム２に送信される。施工実績データは、例えば一日のうちの定時刻又は周期的に建設機械４からコンピュータシステム２に送信されるようにしてもよい。施工実績データ取得部２１は、建設機械４の施工実績データを取得する（ステップＳ１６０）。
【０１６０】
図５及び図６を参照して説明したように、建設機械４は、現況地形に接触する刃先４４０ｐの絶対位置を検出可能である。建設機械４は、刃先４００ｐの絶対位置に基づいて、各メッシュ点のＸｇ軸方向の絶対位置、Ｙｇ軸方向の絶対位置、及びＺｇ軸方向の絶対位置を示す位置データを取得し、現況地形を検出する。
【０１６１】
各メッシュ点の位置データは、施工実績データ取得部２１に出力される。携帯端末７の表示装置７０４は、施工実績データを表示する（ステップＳ１７０）。図２９は、施工実績データの表示例であって、２次元表示された例を示す。図３０は、３次元表示された例を示す。このように、作業者は、その日の施工実績（出来高）をリアルタイムで、視覚を通じて確認することができる。すなわち、施工管理システム１は、日々の施工計画及び施工実績を常に「視覚化」することができる。
【０１６２】
図２９に示された施工実績データの例について説明する。ある施工現場におけるある時点（例えば、２０１５年４月１６日）での工事進捗状況が２次元表示されている。この施工現場では、盛土が行われる。路床に複数回（複数層）にわたって盛土が行われた状況が、色分け又は模様分けされて視覚化されている。また、盛土の累積量が数値（図２９中、例えば４６２．０ｍ３）として表示されている。なお、「施工前」というボタンを選択すると、施工前の状態の色分け又は模様分けが表示され、「施工計画」というボタンを選択すると、施工計画の状態の色分け又は模様分けが表示される。このような２次元表示により、施工の進捗が視覚によって容易に把握することができる。
【０１６３】
図３０に示された施工実績データの例について説明する。ある施工現場におけるある時点（例えば、２０１５年４月１６日）での工事進捗状況が３次元表示されている。現況地形が、明暗をつけて３次元表示されている。コンピュータシステム２が、建設機械４に設けられたＧＰＳ受信器４０６Ｂによる自車の絶対位置を示す絶対位置データを各建設機械４から取得し、施工現場における建設機械４の位置を視覚的に表示している。また、これまでの作業結果として、目標とする切土量（例えば、２２，２４０ｍ３）や目標とする盛土量（例えば、２６，９８０ｍ３）が数値として表示され、各々の累積量（累計）及び目標に対する残量が数値やバーグラフによって表示されている。このような３次元表示により、施工の進捗が視覚によって容易に把握することができる。
【０１６４】
図３１は、表示装置７０４による、施工実績データの別の表示例である。図３１に示すように、施工計画データ出力部２８は、表示装置７０４に、施工の工程毎及び施工日毎に、施工実績データを表示させることができる。また、施工計画データ出力部２８は、表示装置７０４に、施工の工程毎及び施工日毎に、施工計画データ及び施工実績データを表示させることができる。図３１に示すように、施工計画データ出力部２８は、表示装置７０４は、表形式で、施工計画データ及び施工実績データを表示させる。
【０１６５】
図３１に示す例では、掘削工程、盛土工程、及び法面整形工程の各工程毎に、施工計画データを示す「計画」と、施工実績データを示す「実績」とが、表示装置７０４に同時に表示される。また、１１月２５日から１２月１１日までの各施工日毎に、「計画」と「実績」とが表示される。
【０１６６】
施工計画データを示す「計画」の欄には、施工日毎の施工量を示す「当日施工量」と、施工を開始してからの各施工日の施工量の累積量を示す「日毎累計」とが表示される。
【０１６７】
施工実績データは、施工の工程毎及び施工日毎の施工量を示す施工量実績データと、累積の施工量実績データと、施工計画データに対する施工の進捗率を示す進捗率データと、を含む。
【０１６８】
施工実績データを示す「実績」の欄には、施工日毎の実績施工量を示す「当日施工量」と、施工を開始してからの各施工日までの実績施工量の累積量を示す「日毎累計」と、施工日毎に施工の進捗率を示す「日毎進捗率」とが表示される。「日毎進捗率」は、日々の施工が終わった時点における、計画土量に対する実績施工量の累積量（日毎累計）の割合である。例えば、図３１の場合、掘削工程について、１２月１１日の時点で、計画土量２２，２４０ｍ３に対し、日毎累計が９，２１６ｍ３の掘削が行われており、その日毎累計の値を計画土量で割ると、４１．４％という日毎進捗率を得ることができる。このような「日毎進捗率」に変えて、あるいは「日毎進捗率」とともに、その日に計画した施工量（当日施工量）に対する、その日の施工量（当日施工量）の割合を算出し、日毎進捗率として表示させるようにしてもよい。例えば、図３１の場合、掘削工程について、１１月２５日は、計画された当日施工量が５７６ｍ３に対し、当日施工量の実績が５７６ｍ３となっている。したがって、当日施工量の実績を、計画された当日施工量で割ると、１００％という日毎進捗率を得ることができる。つまり、１１月２５日は計画通りに掘削工程の施工が行われたことになる。このような日毎進捗率を、図３１のような表形式で表示装置７０４に表示してもよいし、横軸に施工日をとり縦軸に日毎進捗率をとったグラフにて表示してもよい。
【０１６９】
また、施工計画データ出力部２８は、表示装置７０４に、施工の工程に対する施工計画データのみを表示させてもよいし、施工の工程に対する施工実績データのみを表示させてもよいし、施工の工程に対する施工計画データ及び施工実績データの両方を表示させてもよい。その場合、ある所定の施工日について施工計画データ及び施工実績データの一方又は両方が表示されてもよいし、施工日毎に施工計画データ及び施工実績データの一方又は両方が表示されてもよい。
【０１７０】
図３２は、表示装置７０４による、施工実績データの別の表示例である。施工実績データは、土砂の掘削が完了した部位を示す切土完了データ及び土砂の盛土が完了した部位を示す盛土完了データを含む。図３２に示すように、施工計画データ出力部２８は、表示装置７０４に、切土完了データ及び盛土完了データを３次元表示させる。
【０１７１】
また、施工計画データ出力部２８は、表示装置７０４に、切土完了データ及び盛土完了データと一緒に、切土計画データ（切土部位データ又は切土量データ）及び盛土計画データ（盛土部位データ又は盛土量データ）を表示させることができる。施工計画データ出力部２８は、表示装置７０４に、切土計画データと切土完了データとを異なるデザインで同時に３次元表示させ、盛土計画データと盛土完了データとを異なるデザインで同時に３次元表示させる。図３２に示すように、切土計画データと、盛土計画データと、切土完了データと、盛土完了データとは、異なるデザインで表示される。例えば、計画通りに施工が行われた場所が認識できるように、計画データと完了データとが一致する場所は、計画データや完了データとは異なるデザインで３次元表示がされるようにしてもよい。
【０１７２】
施工計画及び施工実績が「視覚化」されることにより、施工前の施工計画、施工中の施工進捗の管理、及び施工の施工評価を含む一連の作業を迅速に実施することができる、所謂、ＰＣＤＡ（Plan  Do  Check  Action）を高速に回転させることができる。
【０１７３】
また、施工現場３で設計地形の変更の要望がある場合、サポートセンター１４によるサポートが行われる。サポートセンター１４において、設計地形データ修正され、工程管理に反映される。
【０１７４】
また、設計計画データ及び施工実績データは、結果データベース３４に蓄積される。なお、現況地形データ、設計地形データ、原単位データ、施工条件データ、変動要因データ、及びモードデータが、結果データベース３４に蓄積されてもよい。これら結果データベース３４に蓄積されたデータを生かし、施工完了後も、整備・修繕や将来の維持保守、自然災害を受けた地域の復旧作業などに活用することができ、大幅な工数削減に役立てることができる。
【０１７５】
［効果］
以上説明したように、本実施形態によれば、施工計画データ出力部２８は、表示装置７０４に、現況地形データ、設計地形データ、施工範囲データ、切土計画データ、及び盛土計画データの少なくとも二つを並べて３次元表示させる。したがって、施工前の施工計画のうち、現況地形データ、設計地形データ、施工範囲データ、切土計画データ、及び盛土計画データの少なくとも二つが対比された状態で視覚化されるので、作業者又は管理者は施工計画を感覚的に迅速に把握することができる。そのため、施工現場の生産性の向上を図ることができる。
【０１７６】
また、本実施形態によれば、施工計画データ出力部２８は、表示装置７０４に、現況地形データ、設計地形データ、施工範囲データ、切土計画データ、及び盛土計画データの少なくとも二つを重ねて表示させる。したがって、作業者又は管理者は、施工範囲のうちどの部位をどれくらい施工すればよいのかを、視覚を通じて迅速に把握することができる。
【０１７７】
また、本実施形態によれば、施工計画データ出力部２８は、表示装置７０４に、切土数値データ及び盛土数値データの一方又は両方を表示させる。したがって、作業者又は管理者は、施工計画を感覚的に把握するのみならず、数値データに基づいて適確に把握することができる。
【０１７８】
また、本実施形態によれば、施工計画データ出力部２８は、表示装置７０４に、施工の工程毎及び施工日毎に、施工計画データ及び施工実績データを表示させる。したがって、作業者又は管理者は、工程毎及び施工日毎の実績を把握することができるとともに、計画に対する実績も把握することができる。工程毎及び施工日毎に実績が把握されるので、把握された実績に基づいて、施工現場の生産性を向上するための措置を講ずることができる。例えば、計画に対して実績が遅れている工程があれば、計画に対して実績が上回っている工程のリソースを、遅れている工程に当てるなど、施工現場全体の生産性を向上するための措置を講ずることができる。
【０１７９】
また、本実施形態によれば、施工実績データは、施工計画データに対する施工の進捗率を示す進捗率データを含む。工程毎及び施工日毎の進捗率が視覚を通じて把握されるので、施工現場の生産性を向上させるための適切な措置を講ずることができる。
【０１８０】
また、本実施形態によれば、施工実績データは、工程毎及び施工日毎の施工量を示す施工量実績データ、及び累積の施工量実績データを含む。これにより、工程毎及び施工日毎の実績、及び累積施工量を視覚を通じて迅速に把握することができる。
【０１８１】
また、本実施形態によれば、施工計画データ出力部２８は、表示装置７０４に、土砂の切土が完了した部位を示す切土完了データ及び土砂の盛土が完了した部位を示す盛土完了データの一方又は両方を３次元表示させる。これにより、施工範囲のうちどの部位の切土工程又はどの部位の盛土工程が完了したのかを、視覚を通じて迅速に把握することができる。
【０１８２】
また、本実施形態によれば、施工計画データ出力部２８は、表示装置７０４に、切土計画データと切土完了データとを異なるデザインで同時に３次元表示させ、盛土計画データと盛土完了データとを異なるデザインで同時に３次元表示させる。これにより、計画に対する切土又は盛土の実績を感覚的に迅速に把握することができる。
【０１８３】
また、本実施形態によれば、施工計画データ出力部２８は、表示装置７０４に、施工の工程毎に、各工程に必要な施工量を示す施工量データ、各工程に必要な作業機械の種類及び台数を示す作業機械データ、単位時間当たりに実施可能な作業機械の作業量を示す作業原単位データ、及び各工程が完了するまでの時間を示す必要時間データを表示させる。これにより、作業者又は管理者は、視覚を通じて施工計画データを迅速に把握することができる。
【０１８４】
また、本実施形態によれば、施工計画データ出力部２８は、表示装置７０４に、工程毎の工程表を示す工程表データを表示させる。これにより、作業者又は管理者は、視覚を通じて工程表を十分に把握することができる。
【０１８５】
また、本実施形態によれば、施工管理システム１は、現況地形データ取得部２２と、設計地形データ取得部２４と、原単位データ取得部２５と、施工計画データ算出部２０とを有するので、施工計画データ算出部２０は、現況地形データと設計地形データとに基づいて、施工すべき施工範囲及び施工量を導出することができる。施工管理システム１は、導出された施工範囲及び施工量と原単位データとに基づいて、コンピュータシステム２の施工計画データ算出部２０を使って、最適な施工計画を策定することができる。これにより、施工現場の生産性を向上させることができ、建設業界が抱える労働力不足の問題を解決することができる。
【０１８６】
本実施形態においては、（１）施工前及び施工中において正確な施工計画を作ることができ、（２）計画と実績（出来形・出来高）との差分をリアルタイムに把握することができ、（３）最適な施工手順及び段取りを提案でき、（４）変動要因の発生可能性も予測しつつ施工計画を算出することができる。これにより、施工現場３の生産性を大幅に向上させることができる。
【０１８７】
また、本実施形態よれば、施工管理システム１は、施工会社１２及び施工現場３の施工に係る作業を、施工前・施工中・施工後・維持管理まで、全てをサポートすることができる。
【０１８８】
また、本実施形態によれば、施工計画データ出力部２８から、第１出力装置として機能する携帯端末７及び情報端末８に、施工計画データが送信される。これにより、携帯端末７及び情報端末８は、施工計画データを表示することができる。したがって、施工現場３の作業者Ｍａは、視覚を通じて施工計画を十分に把握することができる。
【０１８９】
また、本実施形態によれば、携帯端末７及び情報端末８は、現況地形データ及び設計地形データを３次元表示する。これにより、作業者Ｍａは、現況地形と設計地形との差分を直感的に把握することができる。
【０１９０】
また、本実施形態によれば、第１検出装置として機能するカメラ１１は、現況地形を非接触で検出し、現況地形データをコンピュータシステム２の現況地形データ取得部２２に無線で送信する。これにより、現況地形の測量及び測量結果の送信を迅速に行うことができる。
【０１９１】
また、本実施形態によれば、カメラ１１は、無人飛行体であるドローン１０に搭載され、空撮により現況地形を測量する。これにより、測量を短時間で終了させることができる。
【０１９２】
また、本実施形態によれば、原単位データが示す作業機械の条件は、作業機械の種類や車格、作業機械の台数、及び作業機械の管理状態の少なくとも一つを含む。これにより、原単位データに基づいて、施工のシミュレーション精度が向上し、最適な施工計画を策定することができる。
【０１９３】
また、本実施形態によれば、原単位データが示す作業機械の条件は、単位時間当たりに実施可能な作業機械の作業量を含む。これにより、単位時間毎に、あるいは工程毎に、施工のシミュレーションを高精度で行うことができる。
【０１９４】
また、本実施形態によれば、作業機械は、現況地形を変化させることが可能な作業部材を有し、作業量は、作業部材のサイズを含む。作業部材のサイズは事前に知ることができる不変データであるため、作業量の算出の負担が軽減される。
【０１９５】
また、本実施形態によれば、作業機械は、施工現場に土砂を運搬する運搬車両を含み、作業量は、単位時間当たりに運搬可能な土砂の量を含む。単位時間当たりに運搬可能な土砂の量は、一般道路を走行する運搬車両５の走行条件（走行経路、走行距離、及び走行速度）、交通事情、及びベッセルのサイズなどによって変化する。運搬車両５の走行条件、交通事情、及びベッセルのサイズなどを考慮することにより、施工のシミュレーション精度が向上し、最適な施工計画データが算出される。例えば、施工現場３において土砂の盛土が必要な場合、交通事情により、土砂を積んだ運搬車両５が施工現場３になかなか到着しない場合、施工がストップしてしまう可能性がある。このような状況が生じないように、運搬車両５の条件に基づいて、施工計画データが算出されることにより、施工現場３の生産性が向上する。
【０１９６】
また、本実施形態によれば、原単位データは、施工現場の作業者の条件を更に含む。施工現場３の生産性は、作業機械のみならず、作業者にも依存する。そのため、作業者の条件も考慮して施工計画が算出されることにより、施工現場３の生産性が向上する。
【０１９７】
また、本実施形態によれば、作業者の条件は、作業者の人数、及び作業者の技量の少なくとも一方を含む。これにより、施工のシミュレーション精度が向上し、最適な施工計画が策定される。
【０１９８】
また、本実施形態によれば、施工計画データ算出部２０は、現況地形データと設計地形データとを照合して、施工現場の施工範囲を示す施工範囲データ及び施工範囲において必要な土砂の切土量又は盛土量を示す土量データを算出し、施工範囲データ及び土量データと原単位データとに基づいて、施工計画データを算出する。これにより、最適な施工計画データを算出することができ、施工現場３の生産性を向上することができる。
【０１９９】
また、本実施形態によれば、施工計画データは、施工現場で使用する作業機械の種類や車格及び台数を示す作業機械データ、作業機械を使用した施工の工程表を示す工程表データ、及び施工に要する費用を示すコストデータの少なくとも一つを含む。作業機械データ、工程表データ、及びコストデータが算出されることにより、実際の施工が円滑に行われ、生産性が向上される。
【０２００】
また、本実施形態によれば、工程表データは、施工の作業手順を示すフローデータ、施工の作業毎の作業時間を示す作業時間データ、及び施工が完了するまでの期間を示す工期データの少なくとも一つを含む。これにより、作業者Ｍａは、これらデータに従って、作業を円滑に実施することができる。
【０２０１】
また、本実施形態によれば、施工現場の施工条件を示す施工条件データを取得する施工条件データ取得部２６を備え、施工計画データ算出部２０は、施工条件データに基づいて、施工計画データを算出する。初期条件又は制約条件である施工条件が確定されることにより、施工のシミュレーションにおいて解が迅速かつ適確に得られ、適切な施工計画データを算出することができる。
【０２０２】
また、本実施形態によれば、施工条件データは、施工に係る予算、工期、作業内容、作業手順、作業時間、及び現場環境の少なくとも一つを含む。予算及び工期が規定された状態で、施工のシミュレーションが行われることにより、予算及び工期の範囲内で、複数の施工計画を適切に提案することができる。また、作業内容、作業手順、及び作業時間が予め規定されることにより、適切な労働環境の下で適切な施工計画データを算出することができ、目標通りの施工結果を得ることができる。
【０２０３】
また、本実施形態によれば、現場環境は、施工現場の地形、及び施工現場の大きさの少なくとも一方を含む。施工現場の地形及び大きさによって、作業に要する時間は変化する。そのため、施工現場の地形及び大きさが設定されることにより、施工のシミュレーション精度が向上する。
【０２０４】
また、本実施形態によれば、施工現場の変動要因を示す変動要因データを取得する変動要因データ取得部２７を備え、施工計画データ算出部２０は、変動要因データに基づいて、施工計画データを算出する。変動要因データは、施工現場の土砂の種類及び状態を示す土質データ、施工現場３の地下に埋設する埋設物を示す埋設物データ、及び施工現場３の気象データの少なくとも一つを含む。施工現場の土質によって、作業に要する時間は変化する。例えば、重い土の場合、軽い土の場合、粘土質の土の場合、砂質の土の場合では、建設機械４による掘削作業、押土作業、盛土作業、切土作業、整地作業、及び積込作業など、各種の作業に要する時間が変化する。また、土質によって、運搬車両５の走行のし易さ（トラフィカビリティ）が変化し、運搬車両５の運搬に要する時間も変化する。また、晴天の場合と雨天の場合とでは、作業機械による作業に要する時間が変化する。これら自然現象に起因する変動要因が考慮されることにより、施工のシミュレーション精度はより向上し、適切な施工計画データを算出することができる。
【０２０５】
また、本実施形態によれば、設計地形の変更を受け付けるサポートセンター１４が設けられ、設計地形データ取得部２４は、サポートセンター１４から出力された変更後の設計地形データを取得し、施工計画データ算出部２０は、変更後の設計地形データに基づいて、施工計画データを再算出する。サポートセンター１４により、施工現場３の負担を軽減しつつ、施工現場３の判断が施工に正確に反映される。
【０２０６】
また、本実施形態に示したように、変更後の設計地形データに基づいて、作業機械を遠隔操作するための制御信号を出力する遠隔制御部２９が設けられてもよい。これにより、作業機械の運転者の負担が軽減され、変更後の設計地形データに則って情報化施工を行うことができる。
【０２０７】
また、本実施形態によれば、施工現場３の施工実績を示す施工実績データを取得する施工実績データ取得部２１を備え、施工計画データ算出部２０は、施工実績データに基づいて、施工計画データを再算出する。これにより、施工の進捗状況に応じて、最適な施工計画をその都度策定することができる。
【０２０８】
また、本実施形態によれば、第２出力装置として機能する携帯端末７及び情報端末８に施工実績データが表示される。これにより、作業者は、日々の施工の進捗状況を把握することができる。
【０２０９】
また、本実施形態によれば、作業機械は、施工実績データを取得し、施工実績データ取得部２１は、施工実績データ２１を作業機械から無線で取得する。これにより、施工実績をリアルタイムで迅速に把握することができる。
【０２１０】
また、本実施形態によれば、施工の優先項目を示すモードデータを取得するモードデータ取得部２３を備え、施工計画データ算出部２０は、モードデータに基づいて、施工計画データを算出する。これにより、施工計画データ算出部２０で複数パターンの施工計画が提案された場合、作業者又は管理者は、入力装置を操作して、モードデータをモードデータ取得部２３に送信するだけで、優先項目に則った施工計画を取得することができる。
【０２１１】
また、本実施形態によれば、モードデータは、施工の期間を優先する工期優先モードデータ、及び施工の費用を優先するコスト優先モードデータの少なくとも一方を含む。優先項目として、工期及びコストが設定されることにより、予算及び目標工期に応じた施工計画を選択することができる。
【０２１２】
なお、本実施形態においては、飛行体として、動力源を有するドローン１０を使って現況地形データを取得することとした。飛行体として、模型飛行機が使用されてもよいし、動力源を有しない気球が使用されてもよい。気球に搭載されたカメラによって、現況地形が検出されてもよい。
【０２１３】
［現況地形データの取得の変形例］
図２から図６を参照して説明したように、建設機械４は、車両本体４００と、車両本体４００に対して相対移動する作業部材４４０とを有する。作業部材４４０は、現況地形に接触する刃先４００ｐを有する。建設機械４は、刃先４４０ｐの絶対位置に基づいて、現況地形を検出するプロセッサ４０１（ブレード制御装置４０１Ａ、バケット制御装置４０１Ｂ）を有する。車両本体４００の絶対位置は、ＧＰＳ受信器４０６によって検出される。建設機械４は、車両本体４００に対する刃先４４０ｐの相対位置を検出する検出装置４２０（４２０Ａ、４２０Ｂ）を備えている。車両本体４００の絶対位置と、検出位置４２０の検出結果とに基づいて、刃先４４０ｐの絶対位置が求められる。刃先４４０ｐによって施工現場３が施工され、現況地形が形成される。すなわち、刃先４４０ｐの絶対位置が分かることにより、現況地形の表面のあるメッシュ点の絶対位置が分かる。したがって、プロセッサ４０１は、刃先４４０ｐの絶対位置を検出することによって、現況地形を検出することができる。
【０２１４】
建設機械４のプロセッサ４０１は、現況地形データを無線でコンピュータシステム２に送信する。コンピュータシステム２の現況地形データ取得部２２は、現況地形データを建設機械４から無線で取得する。
【０２１５】
このように、現況地形データの取得は、ドローン１０のような飛行体に限られず、建設機械４を使って取得されてもよい。例えば、施工現場３に樹木のような障害物が存在し、ドローン１０を飛ばすことが困難な状況である場合、建設機械４を使うことにより、現況地形データを円滑に取得することができる。
【０２１６】
［施工管理システムの第２の実施形態］
施工管理システム１の第２の実施形態について説明する。上述の実施形態と同様、本実施形態に係る施工管理システム１は、施工現場の現況地形を示す現況地形データを取得する現況地形データ取得部２２と、施工現場の設計地形を示す設計地形データを取得する設計地形データ取得部２４と、現況地形データと設計地形データとを照合して、施工現場の施工計画を示す施工計画データを算出する施工計画データ算出部２０と、施工現場の施工実績を示す施工実績データを取得する施工実績データ取得部２１と、施工計画データ出力部２８と、を備える。
【０２１７】
図３３及び図３４は、本実施形態に係る表示装置７０４の表示例を示す図である。携帯端末７の電源がオフ状態からオン状態になるように携帯端末７が操作され、携帯端末７が起動し、携帯端末７とコンピュータシステム２との通信が成立すると、携帯端末７の表示装置７０４には、図３３に示すような初期画像が表示される。表示装置７０４には、コンピュータシステム２に管理又は登録されている複数の施工現場のデータが表示される。図３３に示す例では、表示装置７０４は、複数の施工現場の現場名を表示する。このように、本実施形態においては、施工計画データ出力部２８は、携帯端末７が起動した後の初期画像として、コンピュータシステム２に管理又は登録されている複数の施工現場を識別する現場識別データを表示装置７０４に表示させる。
【０２１８】
表示装置７０４は、タッチパネルを含む。作業者Ｍａは、表示装置７０４に表示されている複数の施工現場のうち、任意の施工現場を選択し、表示装置７０４の表示画面を操作（タップ）する。本実施形態においては、施工現場Ａが選択され、表示装置７０４の表示画面において「施工現場Ａ」の表示領域がタップされたこととする。
【０２１９】
「施工現場Ａ」がタップされると、図３４に示すような、施工現場Ａについての詳細なデータが表示装置７０４に表示される。
【０２２０】
図３４に示すように、本実施形態において、施工計画データ出力部２８は、表示装置７０４の表示画面に、複数の表示データを並べて表示させる。表示装置７０４の表示画面には、第１表示データを表示させる第１表示領域７５０と、第２表示データを表示させる第２表示領域７６０と、第３表示データを表示させる第３表示領域７７０と、第４表示データを表示させる第４表示領域７８０と、第５表示データを表示させる第５表示領域７９０と、が設定される。
【０２２１】
施工計画データ出力部２８は、表示装置７０４の第１表示領域７５０に、現況地形データ、施工計画データ、及び施工実績データの少なくとも二つを重ねて表示させる。
【０２２２】
施工計画データ出力部２８は、表示装置７０４の第２表示領域７６０に、施工計画データ及び施工実績データを施工日毎に表示させる。
【０２２３】
施工計画データ出力部２８は、表示装置７０４の第３表示領域７７０に、日付データ、気象データ、施工現場Ａの施工が開始されてからの経過日数データ、及び施工現場Ａの目標施工期間に対する施工経過日数の割合データを表示させる。
【０２２４】
施工計画データ出力部２８は、表示装置７０４の第４表示領域７８０に、盛土量データ及び切土量データを表示させる。
【０２２５】
施工計画データ出力部２８は、表示装置７０４の第５表示領域７９０に、カレンダー及び気象データを表示させる。
【０２２６】
第１表示領域７５０に表示される現況地形データは、現況地形の撮影画像７５１を含む。本実施形態において、現況地形の撮影画像７５１は、現況地形を上空から撮影した航空写真又は衛星写真である。第１表示領域７５０に表示される施工計画データは、施工範囲を示す施工範囲画像７５２を含む。本実施形態において、施工範囲画像７５２は、施工範囲の輪郭を示す画像である。第１表示領域７５０に表示される施工実績データは、施工計画に対する施工の進捗率を示す進捗率データを含む。本実施形態において、施工現場の進捗率データは、区画された施工範囲の複数の区画領域毎に進捗率に応じた異なるデザインで出力される進捗率画像７５３である。
【０２２７】
図３４に示すように、表示装置７０４は、現況地形の撮影画像７５１と施工範囲画像７５２とを重ねて表示する。第１表示領域７５０の施工範囲は、複数の区画領域に区画される。本実施形態において、区画領域は正方形である。各区画領域に対応する施工範囲の進捗率に合わせて、それら区画領域に異なるデザインの進捗率画像７５３が表示される。進捗率画像７５３は、１つの正方形の区画領域に重ねて表示される正方形の画像データである。
【０２２８】
各区画領域に対応する施工現場の進捗率に応じて、進捗率画像７５３の色を異ならせてもよいし、ハッチングを異ならせてもよい。本実施形態においては、施工現場の区画領域の進捗率が１００［％］のとき、その区画領域が赤色で表示される。施工現場の区画領域の進捗率が８０［％］のとき、その区画領域がオレンジ色で表示される。施工現場の区画領域の進捗率が６０［％］のとき、その区画領域が黄色で表示される。施工現場の区画領域の進捗率が４０［％］のとき、その区画領域が緑色で表示される。施工現場の区画領域の進捗率が２０［％］のとき、その区画領域が青色で表示される。施工現場の区画領域の進捗率が０［％］のとき、その区画領域は着色されず撮影画像７５１が表示される。なお、進捗率に応じた色の選択は一例であり、任意の色を選択することができる。また、本実施形態においては、進捗率を６段階（１００［％］、８０［％］、６０［％］、４０［％］、２０［％］、０［％］）で表示しているが、段階の数は任意である。例えば、進捗率が１００［％］、９０［％］、８０［％］、７０［％］、６０［％］、５０［％］、４０［％］、３０［％］、２０［％］、１０［％］、０［％］の１１段階が表示されてもよい。
【０２２９】
施工計画データ出力部２８は、グラフィカルユーザインタフェース（ＧＵＩ：Graphical  User  Interface）として、表示装置７０４の表示画面に、選択部を表示させる。本実施形態において、選択部は、現況地形データ（撮影画像７５１）、施工計画データ（施工範囲７５２）、及び施工実績データ（進捗率画像７５３）のうち、表示装置７０４に表示させるデータを作業者Ｍａに選択させるスイッチである選択部（７５１Ｂ，７５２Ｂ，７５３Ｂ）を含む。スイッチ７５１Ｂがオンされることにより、第１表示領域７５０に撮像画像７５１が表示され、スイッチ７５１Ｂがオフされることにより、撮像画像７５１は非表示となる。スイッチ７５２Ｂがオンされることにより、第１表示領域７５０に施工範囲画像７５２が表示され、スイッチ７５２Ｂがオフされることにより、施工範囲画像７５２は非表示となる。スイッチ７５３Ｂがオンされることにより、第１表示領域７５０に進捗率画像７５３が表示され、スイッチ７５３Ｂがオフされることにより、進捗率画像７５３は非表示となる。図３４は、スイッチ７５１Ｂ，７５２Ｂ，７５３Ｂがすべてオンされており、撮像画像７５１と、施工範囲画像７５２と、進捗率画像７５３とが重ねて表示されている例を示す。
【０２３０】
現況地形データ（撮影画像７５１）、施工計画データ（施工範囲画像７５２）、及び施工実績データ（進捗率画像７５３）は、グローバル座標系において規定されたデータである。施工計画データ出力部２８は、撮影画像７５１、施工範囲画像７５２、及び進捗率画像７５３それぞれの緯度及び経度を一致させた状態で、第１表示領域７５０に重ねて表示させることができる。
【０２３１】
第２表示領域７６０に表示される施工計画データは、土砂の切土計画データ及び盛土計画データを含む。第２表示領域７６０に表示される施工実績データは、土砂の切土実績データ及び盛土実績データを含む。
【０２３２】
本実施形態においては、施工計画データ出力部２８は、第２表示領域７６０において、横軸が施工日を示し、縦軸が施工計画データ（切土計画及び盛土計画）又は施工実績データ（切土実績及び盛土実績）を示すグラフを表示装置７０４の第２表示領域７６０に表示させる。施工計画データ出力部２８は、横軸が施工日であり、縦軸が施工計画又は施工実績を示す折れ線グラフを表示させる。
【０２３３】
図３４は、「２０１５年０８月０１日」から「２０１５年０８月２１日」までの各施工日毎の施工計画及び施工実績がプロットされ、そのプロットが結ばれて折れ線グラフが形成されている例を示す。
【０２３４】
なお、図３４に示す例において、第２表示領域７６０に表示されるグラフの縦軸は、施工日毎の盛土量数値データ［ｍ３］及び切土量数値データ［ｍ３］を示す。縦軸が、盛土量又は切土量の最終的な目標値に対する実績値の割合［％］を示してもよい。
【０２３５】
施工計画データ出力部２８は、グラフィカルユーザインタフェース（ＧＵＩ）として、表示装置７０４の表示画面に、スライド部を表示させる。本実施形態において、スライド部は、横軸が示す期間を変更させるスライダーバー７６１を含む。例えば、スライダーバー７６１が図３４に示す位置にある場合、上述したように、「２０１５年０８月０１日」から「２０１５年０８月２１日」までの盛土量データ及び切土量データが表示される。スライダーバー７６１が右に移動された場合、「２０１５年０８月０１日」から「２０１５年０８月２１日」までの期間よりも長い期間、例えば、「２０１５年０８月０１日」から「２０１６年０１月２１日」までの盛土量データ及び切土量データが表示される。スライダーバー７６１が左に移動された場合、「２０１５年０８月０１日」から「２０１５年０８月２１日」までの期間よりも短い期間、例えば、「２０１５年０８月０１日」から「２０１６年０８月１１日」までの盛土量データ及び切土量データが表示される。
【０２３６】
なお、第２表示領域７６０に表示されるグラフの縦軸が施工日を示し、横軸が盛土量データ及び切土量データを示してもよい。なお、第２表示領域７６０において、盛土量データが表示され切土量データが表示されなくてもよいし、切土量データが表示され盛土量データが表示されなくてもよい。なお、第２表示領域７６０において、盛土量の計画値が表示され実績値が表示されなくてもよいし、盛土量の実績値が表示され計画値が表示されなくてもよい。なお、第２表示領域７６０において、切土量の計画値が表示され実績値が表示されなくてもよいし、切土量の実績値が表示され計画値が表示されなくてもよい。
【０２３７】
表示装置７０４の第３表示領域７７０には、当日（携帯端末７が起動された日）の日付、曜日、当日の天気、施工現場Ａの施工が開始されてからの経過日数、及び施工現場Ａの目標施工期間に対する施工経過日数の割合を示すバーグラフが表示される。図３４に示す例では、当日の天気がアイコンで表示される。施工現場Ａの施工開始日は「２０１５年０８月０１日」であり、施工現場の施工終了予定日は「２０１６年０８月３１日」であり、施工現場Ａの施工が開始されてからの経過日数は５５日である。目標施工期間は、「２０１５年０８月０１日」から「２０１６年０８月３１日」までの１３箇月間（３９６日間）であり、目標施工期間に対する施工経過日数の割合（本例では約１４［％］）を示すバーグラフが表示される。
【０２３８】
表示装置７０４の第４表示領域７８０には、当日における盛土量の計画値（８４２［ｍ３］）と実績値（４０６［ｍ３］）とが表示されるとともに、盛土量の計画値に対する実績値の割合（４８［％］）が表示される。また、当日における盛土量の計画値に対する実績値の割合（４８［％］）が円グラフで表示される。また、表示装置７０４の第４表示領域７８０には、切土量の計画値（１１９８［ｍ３］）と実績値（８７８［ｍ３］）とが表示されるとともに、切土量の計画値に対する実績値の割合（７３［％］）が表示される。また、切土量の計画値に対する実績値の割合（７３［％］）が円グラフで表示される。
【０２３９】
表示装置７０４の第５表示領域７９０には、カレンダーと、各日付に対応する予想天気のアイコンとが表示される。
【０２４０】
図３５は、本実施形態に係る表示装置７０４の別の表示例を示す図である。図３５に示す例では、表示装置７０４の第５表示領域７９０には、カレンダーに代えて、気象データの一つとして、施工現場Ａの雨雲レーダーの画像が表示される。
【０２４１】
なお、図３５は、スイッチ７５１Ｂ，７５３Ｂがオンされ、スイッチ７５２Ｂがオフされている例を示す。これにより、第１表示領域７５０において、施工範囲画像７５２は非表示となり、撮像画像７５１と進捗率画像７５３とが重ねて表示される。
【０２４２】
以上説明したように、本実施形態によれば、図３３に示した初期画像から施工現場を選択するだけで、選択された施工現場の詳細な施工データを表示装置７０４に表示させることができる。また、本実施形態によれば、表示装置７０４に、現況地形データ、施工計画データ、及び施工実績データの少なくとも二つが重ねて表示される。現況地形データ、施工計画データ、及び施工実績データの少なくとも二つが対比された状態で視覚化されるので、作業者又は管理者は施工状況を感覚的に迅速に把握することができる。そのため、施工現場の生産性の向上を図ることができる。
【０２４３】
また、本実施形態によれば、現況地形データは、現況地形の航空写真又は衛星写真による撮影画像７５１を含み、施工計画データは、施工範囲を示す施工範囲画像７５２を含み、施工実績データは、区画された施工範囲の複数の区画領域毎に進捗率に応じた異なるデザインで出力される進捗率画像７５３を含む。これにより、作業者又は管理者は施工状況をより感覚的に迅速に把握することができる。
【０２４４】
また、本実施形態によれば、グラフィカルユーザインタフェースとして、現況地形データ、施工計画データ、及び施工実績データのうち表示装置７０４に表示させるデータを選択させる選択部を表示装置７０４に表示させる。これにより、作業者又は管理者は、表示装置７０４を操作するだけで、必要な画像データだけを表示させたり、任意の複数の画像データを重ねて表示させたりすることができる。
【０２４５】
また、本実施形態においては、施工計画データ出力部２８は、表示装置７０４に、施工計画データ及び施工実績データの少なくとも一方を施工日毎にグラフ化して表示させる。これにより、作業者又は管理者は施工現場の進捗状況を感覚的に迅速に把握することができる。
【０２４６】
また、本実施形態によれば、グラフィカルユーザインタフェースとして、グラフの横軸（又は縦軸）が示す施工期間を変更させるスライド部７６１が表示装置７０４に表示される。スライド部７６１が設けられることにより、作業者又は管理者は、施工期間の表示範囲を容易に変更することができる。作業者又は管理者は、スライド部７６１を右に移動させることにより、長い施工期間における盛土又は切土の進捗状況を大まかに確認することができる。作業者又は管理者は、スライド部７６１を左に移動させることにより、短い施工期間における盛土又は切土の進捗状況を詳細に確認することができる。
【０２４７】
また、本実施形態によれば、施工計画データ出力部２８は、表示装置７０４に、気象データを表示させる。施工現場の作業効率は、天気に左右される場合が多い。表示装置７０４に、当日の天気のみならず予想天気が表示されることにより、作業者又は管理者は、例えばテレビや新聞等を別途確認しなくても、携帯端末７を起動させるだけで、初期画像で選択した施工現場の気象データを容易且つ迅速に確認することができる。
【０２４８】
［施工管理システムの第３の実施形態］
施工管理システム１の第３の実施形態について説明する。図３６は、本実施形態に係る施工管理システム１の一例を示す模式図である。上述の実施形態と同様、施工現場３において、建設機械４が稼働する。作業者Ｍａは、携帯端末７を所持する。
【０２４９】
上述の実施形態と同様、建設機械４は、コンピュータシステム２とデータ通信可能である。コンピュータシステム２の施工計画データ出力部２８は、施工現場３を施工する建設機械４に設計地形データを送信可能である。本実施形態においては、作業機械４に設計地形データを送信可能な施工計画データ出力部２８を単にデータ出力部２８と称する。
【０２５０】
施工現場の設計地形データは、コンピュータシステム２から建設機械４に送信される。建設機械４は、掘削対象の目標形状である設計地形データに基づいて、作業部材４４０の刃先４４０ｐが設計地形に沿って移動するように、作業部材４４０を制御する。
【０２５１】
本実施形態において、コンピュータシステム２の施工計画データ算出部２０は、作業機械４に対する設計地形データの送信の承認を要求する承認要求データを生成する。本実施形態においては、コンピュータシステム２の施工計画データ算出部２０を適宜、承認要求データ生成部２０、と称する。
【０２５２】
承認要求データ生成部２０は、承認要求データを生成する。データ出力部２８は、建設機械４に対する設計地形データの送信に先立って、建設機械４に対する設計地形データの送信の承認を要求する承認要求データを、出力装置７０４を含む携帯端末７に出力する。データ出力部２８は、出力装置７０４を含む携帯端末７から設計地形データの送信を認可する認可データを取得した後、建設機械４に設計地形データを送信する。
【０２５３】
図３７は、本実施形態に係る施工管理方法の一例を示すフローチャートである。承認要求データ生成部２０において建設機械４に対する設計地形データの送信の承認を要求する承認要求データが生成された後、図３７に示すように、データ出力部２８は、承認要求データを携帯端末７に出力する。承認要求データは、コンピュータシステム２から携帯端末７に送信される（ステップＳ２１０）。なお、データ出力部２８は、承認要求データとともに、建設機械４に送信しようとしている設計地形データの内容を示す情報を携帯端末７に送信してもよい。
【０２５４】
承認要求データを受信した携帯端末７は、受信した承認要求データを出力装置である表示装置７０４に表示する。本実施形態において、承認要求データは、承認を要求するメッセージを含む。携帯端末７の表示装置７０４にメッセージが表示される（ステップＳ２２０）。ここで、携帯端末７は、建設機械４に送信しようとしている設計地形データの内容を示す情報を、承認を要求するメッセージとともに表示させてもよい。つまり、データ出力部２８は、建設機械４に送信しようとしている設計地形データの内容を示す情報を含む承認要求データを携帯端末７に送信してもよい。ここで、携帯端末７は、最初に、建設機械４に送信しようとしている設計地形データの内容を示す情報を表示装置７０４に表示させた後、所定の時間が経過するか、作業者Ｍａが画面を切り替える操作をしたならば、承認を要求するメッセージを表示させるようにしてもよい。
【０２５５】
図３８は、携帯端末７の表示装置７０４の表示例を示す。図３８に示すように、承認を要求するメッセージが文字データとして表示装置７０４に表示される。上述の実施形態と同様、設計地形データは、施工会社１２又はサポートセンター１４において作成される。施工管理システム１のコンピュータシステム２は、設計地形データについての時刻データを保有する。本実施形態において、設計地形データについての時刻データは、設計地形データがコンピュータシステム２から携帯端末７に送信可能状態になった時刻データ、及び設計地形データの送信を要求したタイミングを示す時刻データの少なくとも一方を含む。設計地形データがコンピュータシステム２から携帯端末７に送信可能状態になった時刻データは、施工会社１２又はサポートセンター１４において設計地形データが作成された時刻を示すデータでもよいし、施工会社１２又はサポートセンター１４において作成された設計地形データを設計地形データ取得部２４が取得した時刻を示すデータでもよい。設計地形データの送信を要求したタイミングを示す時刻データは、作業者Ｍａが、施工会社１２又はサポートセンター１４などに、新たな設計地形データの作成や施工現場の設計変更に伴う設計地形データの変更を依頼したタイミングを示すデータでもよい。また、承認を要求するメッセージには、時刻データの表示はなくてもよい。さらに、承認を要求するメッセージには、設計地形データの変更や作成を依頼した者（依頼者）を示すデータや設計地形データの変更や作成が必要な施工現場の場所を示すデータが含まれてもよい。承認を要求するメッセージには、これから設計地形データを送信しようとする建設機械４を特定するデータ（種類、号機など）を含んでもよい。時刻データは、時分を含まず日時だけを示すものであってもよい。
【０２５６】
承認要求データは、例えば、設計地形データがコンピュータシステム２から携帯端末７に送信可能状態になった時刻データを含む。例えば、時刻データが、施工会社１２又はサポートセンター１４において作成された設計地形データを設計地形データ取得部２４が取得した時刻を示すデータであって、設計地形データを設計地形データ取得部２４が取得した時刻データが「Ａ月Ｂ日Ｃ時Ｄ分」である場合、表示装置７０４には、図３８に示すように、「Ａ月Ｂ日Ｃ時Ｄ分に御依頼いただいた御指示に基づく設計地形データを送信します。承認よろしくお願いします。」というメッセージが表示される。
【０２５７】
なお、図３８に示すメッセージの内容は一例である。時刻データが、施工会社１２又はサポートセンター１４において設計地形データが作成された時刻を示すデータである場合、設計地形データを作成した担当者名及び設計地形データの作成時刻が承認要求データと一緒に表示装置７０４に表示されてもよい。例えば図１４を参照して説明したような、設計地形データを示す画像データが承認要求データと一緒に表示装置７０４に表示されてもよい。
【０２５８】
表示装置７０４は、タッチパネルを含む。図３８に示すように、表示装置７０４に、「承認」ボタンが表示される。作業者Ｍａは、コンピュータシステム２から建設機械４への設計地形データの送信を認可する場合、「承認」ボタンを操作（タップ）する。「承認」ボタンが操作されることにより、携帯端末７は、コンピュータシステム２から建設機械４への設計地形データの送信を認可することを示す認可データを生成し、コンピュータシステム２に送信する（ステップＳ２３０）。
【０２５９】
ここで、コンピュータシステム２から建設機械４への設計地形データの送信を認可しないことを示す、「不許可」ボタンが表示装置７０４に表示されてもよい。この場合、作業者Ｍａが、コンピュータシステム２から建設機械４への設計地形データの送信を認可しないのであれば、表示装置７０４に表示された、「不許可」ボタンを操作（タップ）する。「不許可」ボタンが操作されることにより、携帯端末７は、コンピュータシステム２から建設機械４への設計地形データの送信を認可しないことを示す不認可データを生成し、コンピュータシステム２に送信する。
【０２６０】
コンピュータシステム２は、承認要求データの送信に基づいて携帯端末７で生成された認可データを取得する。コンピュータシステム２から建設機械４への設計地形データの送信を認可する認可データを携帯端末７から取得した後、データ出力部２８は、建設機械４に設計地形データを送信する（ステップＳ２４０）。
【０２６１】
設計地形データを取得した建設機械４は、設計地形データに基づいて、作業部材４４０の刃先４４０ｐが設計地形に沿って移動するように、作業部材４４０を制御することができる。
【０２６２】
なお、建設機械４の記憶装置４０２に設計地形データが記憶されている場合、建設機械４のプロセッサ４０１は、記憶装置４０２に記憶されている設計地形データをコンピュータシステム２のデータ出力部２８から送信された設計地形データに更新（書換え）する。建設機械４は、更新された設計地形データに基づいて作業部材４４０を制御する。
【０２６３】
なお、建設機械４の記憶装置４０２に設計地形データが記憶されていない場合、建設機械４のプロセッサ４０１は、コンピュータシステム２のデータ出力部２８から送信された設計地形データを記憶装置４０２に記憶させる。建設機械４は、記憶装置４０２に新規に記憶された設計地形データに基づいて作業部材４４０を制御する。
【０２６４】
以上説明したように、本実施形態によれば、コンピュータシステム２から建設機械４に対する設計地形データの送信に先立って、作業者Ｍａによる承認作業が実施される。承認があった後、コンピュータシステム２から建設機械４に設計地形データが送信される。これにより、誤った設計地形データが建設機械４に送信されてしまうことが抑制される。誤った設計地形データが建設機械４に送信されてしまうと、正しい設計地形データに基づく施工が実施されなくなり、施工のやり直しがもたらされ、施工現場３の生産性が低下する可能性がある。承認作業が実施されることにより、誤った設計地形データが建設機械４に送信されてしまうことが抑制されるため、施工現場３の生産性の向上を図ることができる。
【０２６５】
また、本実施形態によれば、作業者Ｍａによる承認作業が実施されるので、設計地形データに基づく施工が完了していないにもかかわらず、新たな設計地形データが建設機械４に送信され更新されてしまうことも抑制される。これにより、施工現場３の進捗管理を的確に実行することができる。
【０２６６】
また、本実施形態によれば、承認要求データは、設計地形データが送信可能状態になった時刻データを含む。設計地形データが送信可能状態になった時刻データとは、施工会社１２又はサポートセンター１４において設計地形データが作成された時刻データ、及び施工会社１２又はサポートセンター１４において作成された設計地形データを設計地形データ取得部２４が取得した時刻データの少なくとも一方を含む。承認要求データが時刻データを含むことにより、携帯端末７の表示装置７０４を見た作業者Ｍａは、時刻データに基づいて、承認対象となる設計地形データを識別することができる。これにより、誤った設計地形データや更新されるべきではない設計地形データが承認されることが防止される。
【０２６７】
また、承認要求データが、メッセージを含んだり、設計地形データを特定するための時刻データや作成者データ、あるいは設計地形データの画像データを含んだりすることにより、誤った設計地形データや更新されるべきではない設計地形データが建設機械４に送信されてしまうことをより確実に防止することができる。
【０２６８】
なお、承認要求データは、情報端末８、情報端末１３、及び情報端末１５の少なくとも一つに出力されてもよい。承認は、施工現場３の作業者Ｍａのみならず、施工会社１２の作業者Ｍｂが実施してもよいし、サポートセンター１４の作業者Ｍｃが実施してもよい。
【０２６９】
なお、本実施形態においては、コンピュータシステム２から携帯端末７に承認要求データが送信され、その承認要求データを受信した携帯端末７からコンピュータシステム２に認可データ（又は不認可データ）が送信されることとした。すなわち、本実施形態においては、承認要求データを受信する携帯端末７と認可データを送信する携帯端末７とが同一の機器であることとした。承認要求データを受信する携帯端末７と、認可データ（又は不認可データ）を送信する携帯端末７とは、別々の機器でもよい。例えば、受信専用の携帯端末と送信専用の携帯端末とが設けられ、コンピュータシステム２から受信専用の携帯端末に承認要求データが送信される。作業者は、コンピュータシステム２から送信され受信専用の携帯端末で受信した承認要求データに基づいて、送信専用の携帯端末を操作して、送信専用の携帯端末に認可データを生成させる。送信専用の携帯端末で生成された認可データは、コンピュータシステム２に送信される。コンピュータシステム２は、送信専用の携帯端末から認可データを取得した後、作業機械４に設計地形データを送信する。
【０２７０】
なお、ここでは、受信専用の機器として携帯端末を例示し、送信専用の機器として携帯端末を例示した。受信専用の機器及び送信専用の機器は、スマートフォン又はタブレット型パーソナルコンピュータのような携帯型コンピュータでなくてもよく、受信専用の機器及び送信専用の機器の少なくとも一方が、例えばパーソナルコンピュータのような据置型機器でもよい。
【０２７１】
なお、承認要求データが建設機械４に送信され、建設機械４の運転室に設けられている出力装置４０４Ａ，４０４Ｂに、承認要求データが出力されてもよい。建設機械４を運転する作業者（運転者）が、出力装置４０４Ａ，４０４Ｂを操作して、認可データを建設機械４の入出力インターフェース回路４０５を介してコンピュータシステム２に送信してもよい。
【０２７２】
［施工管理システムの第４の実施形態］
施工管理システム１の第４の実施形態について説明する。図３９は、本実施形態に係る施工管理システム１の一例を示す模式図である。設計地形データは、施工会社１２又はサポートセンター１４において作成される。
【０２７３】
本実施形態においては、設計地形データとして、施工完了時点における設計地形を示す最終設計地形データ、及び施工完了前の施工途中時点における設計地形を示す中間設計地形データが作成される。施工途中時点は、施工開始時点から施工完了時点までの間の所定の時点である。
【０２７４】
本実施形態において、中間設計地形データは、複数の施工途中時点それぞれの時点における設計地形を含む。コンピュータシステム２の設計地形データ取得部２４は、複数の施工途中時点それぞれの中間設計地形データを取得する。
【０２７５】
また、盛土及び切土の少なくとも一方を含む規定の施工が実施されることによって複数の施工層が順次生成される場合、中間設計地形データは、地表に現れる複数の施工層それぞれの設計地形を含む。例えば、盛土が実施されることによって複数の施工層が順次積層される場合、中間設計地形データは、積層後の施工層の表面の設計地形を含む。また、切土が実施されることによって複数の施工層が順次除去される場合、中間設計地形データは、施工層を除去後の地表の設計地形を含む。
【０２７６】
図３９に示す例では、施工開始時点から第１時間経過後の第１施工途中時点における設計地形を示す第１中間設計地形データ、施工開始時点から第１時間よりも長い第２時間経過後の第２施工途中時点における設計地形を示す第２中間設計地形データ、施工開始時点から第２時間よりも長い第３時間経過後の第３施工途中時点における設計地形を示す第３中間設計地形データ、施工開始時点から第（Ｎ−１）時間経過後の第（Ｎ−１）施工途中時点における設計地形を示す第（Ｎ−１）中間設計地形データ、及び施工開始時点から第Ｎ時間経過後の第Ｎ施工途中時点における設計地形を示す第Ｎ中間設計地形データが生成される。本実施形態において、第Ｎ中間設計地形データは、最終設計地形データである。
【０２７７】
コンピュータシステム２の設計地形データ取得部２４は、最終設計地形データ及び中間設計地形データを取得する。
【０２７８】
図４０は、本実施形態に係る中間設計地形データ及び最終設計地形データを説明するための模式図である。図４０は、中間設計地形データ及び最終設計地形データの側断面図を示す。図４０に示すように、施工現場３においては、最終設計地形を得るために、盛土を順次実施して、複数の施工層を順次積層する施工が実施される場合がある。図４０に示す例では、第１層の上に第２層が形成され、第２層の上に第３層が形成され、第（Ｎ−１）層の上に第Ｎ層が形成される。第１層の盛土完了時点の後に第２層を形成するための盛土が実施され、第２層の盛土完了時点の後に第３層を形成するための盛土が実施され、第（Ｎ−１）層の盛土完了時点の後に第Ｎ層を形成するための盛土が実施される。
【０２７９】
なお、複数の施工層として、土層、砂利層、砂層、及びコンクリート層等が例示される。なお、施工層の積層数及び施工層の種類は任意である。
【０２８０】
図４０に示す例において、第１中間設計地形データは、第１層の表面の設計地形を示す。第２中間設計地形データは、第２層の表面の設計地形を示す。第３中間設計地形データは、第３層の表面の設計地形を示す。第（Ｎ−１）中間設計地形データは、第３層の表面の設計地形を示す。第Ｎ中間設計地形データ（最終設計地形データ）は、第Ｎ層の表面の設計地形を示す。
【０２８１】
図４１は、本実施形態に係る中間設計地形データ及び最終設計地形データを説明するための模式図である。図４１は、中間設計地形データ及び最終設計地形データの側断面図を示す。図４１に示すように、施工現場３においては、最終設計地形を得るために、切土を順次実施して、複数の施工層を順次除去する施工が実施される場合がある。図４１に示す例では、施工現場３の地表の一部が除去されることにより第１層の表面が現れ、第１層が除去されることにより第１層の下の第２層の表面が現れ、第２層が除去されることにより第２層の下の第３層の表面が現れ、第（Ｎ−１）層が除去されることにより第（Ｎ−１）層の下の第Ｎ層の表面が現れる。第１層の切土完了時点の後に第２層を除去するための切土が実施され、第２層の切土完了時点の後に第３層を除去するための切土が実施され、第（Ｎ−１）層の切土完了時点の後に第Ｎ層を除去するための切土が実施される。
【０２８２】
図４１に示す例において、第１中間設計地形データは、第１層の表面の設計地形を示す。第２中間設計地形データは、第２層の表面の設計地形を示す。第３中間設計地形データは、第３層の表面の設計地形を示す。第（Ｎ−１）中間設計地形データは、第３層の表面の設計地形を示す。第Ｎ中間設計地形データ（最終設計地形データ）は、第Ｎ層の表面の設計地形を示す。
【０２８３】
このように、中間設計地形データは、施工の途中段階における設計地形を示す。中間設計地形データが蓄積されることにより、例えば、第１層が施工された後、計測された第１層の中間現況地形データと、第１層の中間設計地形データとを比較することによって、第１層が設計面どおりに施工できているか否かを施工の途中段階においてチェックすることができる。
【０２８４】
本実施形態において、施工計画データ出力部２８は、携帯端末７の表示装置７０４に、中間設計地形データを表示させる。また、施工計画データ出力部２８は、表示装置７０４に、複数の中間設計地形データのうち少なくとも２つの中間設計地形データを同時に表示させることができる。
【０２８５】
本実施形態において、作業者Ｍａは、入力装置７０３を操作して、複数の中間設計地形データのうち、表示装置７０４に表示させる中間設計地形データを指定することができる。
【０２８６】
また、本実施形態においては、現況地形データとして、施工完了時点における現況地形を示す最終現況地形データ、及び施工途中時点における現況地形を示す中間現況地形データが取得される。施工途中時点は、施工開始時点から施工完了時点までの間の所定の時点である。
【０２８７】
最終現況地形データ及び中間現況地形データは、施工完了時点及び施工途中時点においてドローン１０、ステレオカメラ、及び３次元レーザスキャナ装置等を使って取得される。コンピュータシステム２の現況地形データ取得部２２は、最終現況地形データ及び中間現況地形データを取得する。
【０２８８】
本実施形態において、中間現況地形データは、複数の施工途中時点それぞれの現況地形を含む。コンピュータシステム２の現況地形データ取得部２２は、複数の施工途中時点それぞれの中間現況地形データを取得する。
【０２８９】
本実施形態において、施工計画データ出力部２８は、携帯端末７の表示装置７０４に中間設計地形データ、中間現況地形データ、最終設計地形データ、及び最終現況地形データのうち、任意の少なくとも２つの地形データを同時に表示させることができる。
【０２９０】
図４２は、本実施形態に係る表示装置７０４の表示例を示す図である。なお、以下で説明する表示装置７０４に表示される表示データは、上述の実施形態と同様、携帯端末７の表示装置７０４のみならず、情報端末８の表示装置８０４、情報端末１３の表示装置１３４、及び情報端末１５の表示装置１５４の少なくとも一つに表示されてもよいし、建設機械４（油圧ショベル４Ａ、ブルドーザ４Ｂ）に設けられている表示装置に表示されてもよい。
【０２９１】
図４２は、作業者Ｍａによって入力装置７０３が操作され、第１中間設計地形データ及び最終設計地形データが指定され、表示装置７０４にそれぞれの地形データの側断面が表示されている例を示す。また、図４２には、第１中間設計地形データに一致させるように施工された時点における現況地形データ（第１中間現況地形データ）も表示されている。このように表示することで、作業者は、第１中間設計地形データに一致させるように施工した時点における現況地形データ（第１中間現況地形データ）と第１中間設計地形データとを比較し、比較した結果により施工の途中段階における進捗度合いを確認することができる。また、最終設計地形データも同時に表示させることで、現時点から完成時までにどの程度作業を要するのかも併せて確認することができる。
【０２９２】
なお、結果データベース３４に、複数の時点のそれぞれにおける現況地形データ、例えば、第１中間現況地形エータ、第３中間現況地形データ、及び最終現況地形データが記憶され、施工計画データ出力部２８は、表示装置７０４に、それら複数の現況地形データを同時に表示させてもよい。
【０２９３】
図４３は、本実施形態に係る表示装置７０４の表示例を示す図である。図４３は、作業者Ｍａによって入力装置７０３が操作され、第５層を示す第５中間設計地形データが指定され、第５中間設計地形データと、第５中間設計地形データに一致するように施工が実施された時点における中間現況地形データとが、表示装置７０４に同時に３次元表示されている例を示す。施工計画データ出力部２８は、表示装置７０４に、中間設計地形データ（第５中間設計地形データ）及びその中間設計地形データに一致するように施工が実施された時点おける中間現況地形データ（第５中間現況地形データ）の３次元表示データを表示させる。図４３に示すように、表示装置７０４は、中間設計地形データ及び中間現況地形データのそれぞれを３次元表示することができる。図４３に示す例では、第１の表示形態（色、模様等）で表示されている領域Ｄａが、中間現況地形データのうち中間設計地形データと一致している、又は所定の誤差範囲内に収まっている領域を示す。第１の表示形態とは異なる第２の表示形態（色、模様等）で表示されている領域Ｄｂが、中間現況地形データのうち中間設計地形データと一致していない領域を示す。すなわち、領域Ｄａは、中間設計地形データどおりに施工が実施された領域を示し、領域Ｄｂは、中間設計地形データどおりに施工が実施されてなく、更なる盛土又は切土を必要とする領域を示す。
【０２９４】
また、図４３に示す例において、作業者Ｍａは、入力装置７０３を操作して、表示装置７０４の表示画面において、中間設計地形データ（第５中間設計地形データ）５００の断面５０１を指定し、断面５０１における側断面図を表示させることができる。
【０２９５】
施工計画データ出力部２８は、指定された断面５０１において、指定された中間設計地形データ５００の断面を示す断面表示データを表示装置７０４に表示させる。また、施工計画データ出力部２８は、指定された断面５０１において、指定された中間設計地形データに対応する中間現況地形データ５０３の断面を示す断面表示データを表示装置７０４に表示させる。また、施工計画データ出力部２８は、指定された断面５０１において、指定された最終設計地形データの断面５０２を示す断面表示データを表示装置７０４に表示させる。
【０２９６】
このように、本実施形態においては、施工計画データ出力部２８は、表示装置７０４に、中間設計地形データ５００及び中間現況地形データ５０３の３次元表示データと、中間設計地形データ５００、中間現況地形データ５０３、及び最終設計地形データの断面表示データとを同時に出力させる。
【０２９７】
また、施工実績データ取得部２１は、ある施工途中時点に対応する施工層についての中間設計地形データと中間現況地形データとに基づいて、施工途中時点におけるその施工層についての中間設計地形データに対する施工実績を示す施工実績データを取得する。例えば、施工実績データ取得部２１は、第５層についての第５中間設計地形データと第５中間現況地形データとに基づいて、第５中間設計地形データに対する施工の進捗率を示す進捗率データを算出する。施工計画データ出力部２８は、表示装置７０４に、第５中間設計地形データに対する施工実績データを表示させる。
【０２９８】
図４４は、本実施形態に係る表示装置７０４の表示例を示す図である。図４４は、作業者Ｍａによって入力装置７０３が操作され、第５層についての施工実績データが表示装置７０４に表示されている例を示す。上述の実施形態と同様、施工実績データは、施工の進捗率データを含む。図４４は、施工実績データとして、施工の進捗率データが表示装置７０４に表示されている例を示す。図４４に示すように、施工現場３のマップデータが表示され、マップデータの複数の領域が進捗率に基づいて異なるデザインで表示される。図４４に示す例では、進捗率１００［％］の領域が第１の色（例えば青色）が表示され、進捗率５０［％］の領域が第２の色（例えば黄色）が表示され、進捗率０［％］の領域が第２の色（例えば赤色）が表示される。進捗率とマップデータにおける表示デザインは、より多くの段階にて表現されるようにしてもよい。
【０２９９】
以上説明したように、本実施形態においては、施工計画データ出力部２８は、表示装置７０４に、複数の中間設計地形データを同時に表示させることができる。これにより、作業者Ｍａは、表示装置７０４の表示画面を見て、施工の複数の途中段階のそれぞれにおける設計地形を確認することができる。
【０３００】
また、本実施形態においては、施工計画データ出力部２８は、携帯端末７の表示装置７０４に、中間設計地形データ及び中間現況地形データを同時に表示させることができる。これにより、作業者Ｍａは、表示装置７０４の表示画面を見て、施工の途中段階における設計地形と現況地形との差異を確認することができる。施工の途中段階における設計地形と現況地形との差異が視覚化されるので、作業者又は管理者は施工計画又は施工状況を感覚的に迅速に把握することができる。そのため、施工現場の生産性の向上を図ることができる。
【０３０１】
また、本実施形態においては、施工計画データ出力部２８は、表示装置７０４に、中間設計地形データ、中間現況地形データ、及び最終設計地形データを同時に表示させることができる。これにより、作業者Ｍａは、表示装置７０４の表示画面を見て、中間設計地形と中間現況地形との差異、及び最終設計地形と中間現況地形との差異を確認することができる。
【０３０２】
また、本実施形態においては、施工計画データ出力部２８は、表示装置７０４に、中間設計地形データに対する施工実績データを表示させる。これにより、作業者Ｍａは、表示装置７０４の表示画面を見て、ある施工層（例えば第５層）の施工についての進捗状況を確認することができる。
【０３０３】
なお、上述の実施形態においては、設計地形データは、コンピュータシステム２が取得することとした。施工会社１２又はサポートセンター１４において作成された設計地形データが、コンピュータシステム２を介さずに、建設機械４の入出力インターフェース回路４０５を介して、建設機械４にダイレクトに送信されてもよい。また、設計地形データは、施工会社１２又はサポートセンター１４で作成されずに、建設機械４のプロセッサ４０１で作成されてもよい。その設計地形データの使用の承認を要求する承認要求データが建設機械４の運転室に設けられている出力装置４０４Ａ，４０４Ｂに出力されてもよい。建設機械４を運転する作業者（運転者）が、出力装置４０４Ａ，４０４Ｂを操作して、その設計地形データの使用を認可する認可データを建設機械４のプロセッサ４０１に出力してもよい。
【０３０４】
なお、上述の各実施形態においては、設計地形データが施工会社１２の情報端末１３又はサポートセンター１４の情報端末１５で生成され、コンピュータシステム２の設計地形データ取得部２４が施工会社１２又はサポートセンター１４から設計地形データを取得することとした。設計地形データは、施工管理システム１のコンピュータシステム２で生成されてもよい。その場合、コンピュータシステム２の設計地形データ取得部２４に代えて、又は設計地形データ取得部２４とともに、コンピュータシステム２が設計地形データを生成する設計地形データ生成部を有してもよい。
【０３０５】
なお、上述の各実施形態において、建設機械４に搭載されたステレオカメラによって、３次元現況地形データが検出されてもよい。建設機械４に搭載されたステレオカメラによれば、建設機械４自身が施工した結果である現況地形データを確実に取得でき、また、前述のようにドローン１０を飛ばすことが困難な状況やドローン１０により現況地形データが取得できなかった領域に対しても、確実に現況地形データを取得することができる。このように、現況地形データの取得は、ドローン１０とステレオカメラとを併用して行われてもよい。なお、ステレオカメラは、施工現場に設置され移動可能なものでもよい。
【０３０６】
あるいは、３次元現況地形データの取得に、現況地形の表面に検出光であるレーザ光を照射して現況地形データを光学的に取得する３次元レーザスキャナ装置が使用されてもよい。また、３次元現況地形データの取得に、三角測量機器が使用されてもよい。
【０３０７】
なお、上述の実施形態においては、出力装置（出力装置７０４など）が表示装置である例について主に説明した。出力装置が印刷装置でもよい。出力装置による出力は、印刷装置による印刷（プリントアウト）を含む。すなわち、上述の実施形態で説明した、表示装置７０４に表示される各表示データ（画像データ及び文字データ）が、印刷物として出力されてもよい。
【０３０８】
なお、上述の実施形態においては、建設機械４がＩＣＴ建設機械である例について説明した。現況地形データを都度、ドローン、ステレオカメラ、及び３次元レーザスキャナ装置のような第１検出装置によって取得するのであれば、ＩＣＴ建設機械ではなく、情報化施工を可能とする機器を搭載していないような通常の建設機械を用いた施工管理システムにより、管理者又は作業者に施工計画（施工計画データ）を提示することができる。
【符号の説明】
【０３０９】
１  施工管理システム
２  コンピュータシステム
３  施工現場
４  建設機械
４Ａ  油圧ショベル
４Ｂ  ブルドーザ
５  運搬車両
６  ＧＰＳ衛星
７  携帯端末
８  情報端末
９  現場事務所
１０  ドローン
１１  カメラ
１２  施工会社
１３  情報端末
１４  サポートセンター
１５  情報端末
２０  施工計画データ算出部
２１  施工実績データ取得部
２２  現況地形データ取得部
２３  モードデータ取得部
２４  設計地形データ取得部
２５  原単位データ取得部
２６  施工条件データ取得部
２７  変動要因データ取得部
２８  施工計画データ出力部
２９  遠隔制御部
３１  原単位データベース
３２  施工条件データベース
３３  変動要因データベース
３４  結果データベース
Ｍａ  作業者
Ｍｂ  作業者
Ｍｃ  作業者
【図１】
2016208276.tif 000003
【図２】
2016208276.tif 000004
【図３】
2016208276.tif 000005
【図４】
2016208276.tif 000006
【図５】
2016208276.tif 000007
【図６】
2016208276.tif 000008
【図７】
2016208276.tif 000009
【図８】
2016208276.tif 000010
【図９】
2016208276.tif 000011
【図１０】
2016208276.tif 000012
【図１１】
2016208276.tif 000013
【図１２】
2016208276.tif 000014
【図１３】
2016208276.tif 000015
【図１４】
2016208276.tif 000016
【図１５】
2016208276.tif 000017
【図１６】
2016208276.tif 000018
【図１７】
2016208276.tif 000019
【図１８】
2016208276.tif 000020
【図１９】
2016208276.tif 000021
【図２０】
2016208276.tif 000022
【図２１】
2016208276.tif 000023
【図２２】
2016208276.tif 000024
【図２３】
2016208276.tif 000025
【図２４】
2016208276.tif 000026
【図２５】
2016208276.tif 000027
【図２６】
2016208276.tif 000028
【図２７】
2016208276.tif 000029
【図２８】
2016208276.tif 000030
【図２９】
2016208276.tif 000031
【図３０】
2016208276.tif 000032
【図３１】
2016208276.tif 000033
【図３２】
2016208276.tif 000034
【図３３】
2016208276.tif 000035
【図３４】
2016208276.tif 000036
【図３５】
2016208276.tif 000037
【図３６】
2016208276.tif 000038
【図３７】
2016208276.tif 000039
【図３８】
2016208276.tif 000040
【図３９】
2016208276.tif 000041
【図４０】
2016208276.tif 000042
【図４１】
2016208276.tif 000043
【図４２】
2016208276.tif 000044
【図４３】
2016208276.tif 000045
【図４４】
2016208276.tif 000046
【国際調査報告】
2016208276.tif 000047
2016208276.tif 000048
2016208276.tif 000049
2016208276.tif 000050